(57)【特許請求の範囲】
【請求項１】
複数の圧縮機の全動作を制御し、駆動オンまたはオフ信号を発生する第１制御部と、
常用電圧を供給する常用電圧源と、
前記第１制御部からの圧縮機駆動オン／オフ信号に応答して前記圧縮機に常用電圧を供給または中断するスイッチと、
前記常用電圧の状態及び、始動前後によって異なるように圧縮機の主巻線及び補助巻線へ供給される電流及び静電容量を制御するための制御信号を提供する第２制御部と、
前記制御信号に応答して、始動中は主巻線に常用電圧による電流を制限して供給し、始動後は常用電圧による電流を正常に供給する電流制御部と、そして、
前記制御信号に応答して、始動中は補助巻線に前記常用電圧による電流を用いた始動用静電容量を順次供給し、前記電流による運転用静電容量を同時に供給し、始動後は運転用静電容量のみを同時に供給する静電容量制御部とで構成されることを特徴とする圧縮機への電流及び静電容量の供給を制御する装置。
【請求項２】
前記第２制御部は前記外部常用電源から少なくとも一つの電圧値を得るトランス部と、
前記得られた少なくとも一つの電圧値に基づき、前記印加された外部常用電源の大きさを感知する電源大きさ感知部と、そして、
前記得られた少なくとも一つの電圧値に基づいて前記外部常用電源の周波数を感知する電源周波数感知部とを更に備えることを特徴とする請求項１に記載の圧縮機への電流及び静電容量の供給を制御する装置。
【請求項３】
常用電圧を供給する常用電圧源と、
第１及び第２圧縮機の全動作を制御し、使用者の選択によって圧縮機の駆動オンまたはオフ信号を提供する第１制御部と、
前記圧縮機の駆動オン／オフ信号に応答してスイッチングされ、前記圧縮機に常用電圧を供給する第１スイッチと、
前記常用電圧の状態及び、始動前後によって、異なるように位相制御信号及びスイッチング制御信号を発生する第２制御部と、
前記スイッチング制御信号に応答して内部回路の構成を変更し、前記位相制御信号に応答して前記常用電圧の位相を制御することにより、前記圧縮機の主巻線に始動時には常用電圧による電流を制限して供給し、始動後は常用電圧による電流を正常に供給する電流制御部と、そして、
前記制御信号に応答して内部の回路を変更し、前記第１圧縮機及び前記第２圧縮機の補助巻線に、始動時は常用電圧による電流を用いた始動用静電容量を順次に供給し、電流による運転用静電容量を同時に供給し、始動後は運転用静電容量のみを同時に供給する静電容量制御部とで構成されることを特徴とする圧縮機への電流及び静電容量の供給を制御する装置。
【請求項４】
常用電圧を供給する常用電圧源と、
第１及び第２圧縮機の全動作を制御し、使用者の選択によって圧縮機の駆動オンまたはオフ信号を提供する第１制御部と、
前記圧縮機の駆動オン／オフ信号に応答してスイッチングされ、前記圧縮機に常用電圧を供給する第１スイッチと、
前記常用電圧の状態及び、始動前後によって、異なるように位相制御信号及びスイッチング制御信号を発生する第２制御部と、
前記スイッチング制御信号に応答して内部回路の構成を変更し、前記位相制御信号に応答して前記常用電圧の位相を制御することにより、前記圧縮機の主巻線に始動時には常用電圧による電流を制限して供給し、始動後は常用電圧による電流を正常に供給する電流制御部と、そして、
前記制御信号に応答して内部の回路を変更し、前記圧縮機の補助巻線に始動時に常用電圧による電流を用いた始動用静電容量を順次供給し、運転用静電容量は同時に供給し、始動後は前記常用電圧による電流を用いた前記運転用静電容量のみを同時に供給し且つ、瞬間放電による突入電流防止の機能を有する静電容量制御部とで構成されることを特徴とする圧縮機への電流及び静電容量の供給を制御する装置。
【請求項５】
常用電圧を供給する常用電圧源と、
第１及び第２圧縮機の全動作を制御し、使用者の選択によって圧縮機の駆動オンまたはオフ信号を提供する第１制御部と、
前記圧縮機の駆動オン／オフ信号に応答してスイッチングされ、前記圧縮機に前記常用電圧を供給または中断する第１スイッチと、
前記圧縮機の外部温度を感知する温度感知部と、
前記常用電圧の状態（大きさ及び周波数）及び、圧縮機の始動前後によって異なるように、そして、前記感知した外部温度によって異なるように位相制御信号及びスイッチング制御信号を発生する第２制御部と、
前記スイッチング制御信号に応答して内部回路の構成を変更し、前記位相制御信号に応答して前記常用電圧の位相を制御することにより、前記圧縮機の主巻線に始動時は常用電圧による電流を制限して供給し、始動後は常用電圧による電流を正常に供給する電流制御部と、そして、
前記制御信号に応答して内部の回路を変更し、前記圧縮機の補助巻線に始動時には常用電圧による電流を用いた始動用静電容量を順次供給し、運転用静電容量を同時に供給し、始動後は前記常用電圧による電流を用いた前記運転用静電容量のみを前記各補助巻線に同時に供給する静電容量制御部とで構成されることを特徴とする圧縮機への電流及び静電容量の供給を制御する装置。
【請求項６】
常用電圧を供給する常用電圧源と、
第１及び第２圧縮機の全動作を制御し、使用者の選択によって圧縮機の駆動オンまたはオフ信号を提供する第１制御部と、
前記圧縮機の駆動オン／オフ信号に応答してスイッチングされ、前記圧縮機へ前記常用電圧を供給または中断する第１スイッチと、
前記圧縮機の主巻線に各々流れる電流を検出する電流検出部と、
前記常用電圧の状態（大きさ及び周波数）及び、前記圧縮機の始動時と始動後によって異なるように位相制御信号及びスイッチング制御信号を発生し、始動時検出された前記主巻線の電流の状態をディスプレイするためのディスプレイ信号を発生する第２制御部と、
前記スイッチング制御信号に応答して内部回路の構成を変更し、前記位相制御信号に応答して前記常用電圧の位相を制御することにより、前記圧縮機の主巻線に始動時は常用電圧による電流を制限して供給し、始動後は常用電圧による電流を正常に供給する電流制御部と、
前記ディスプレイ信号に応答して、前記検出した電流の状態を外部にディスプレイするディスプレイ部と、そして、
前記制御信号に応答して内部の回路を変更し、前記圧縮機の補助巻線に始動時は常用電圧による電流を用いた始動用静電容量を順次供給し、運転用静電容量を同時に供給し、始動後は常用電圧による電流を用いた前記運転用静電容量のみを前記各補助巻線に同時に供給する静電容量制御部とで構成されることを特徴とする圧縮機への電流及び静電容量の供給を制御する装置。
【請求項７】
常用電圧を供給する常用電圧源と、
第１及び第２圧縮機の全動作を制御し、使用者の選択によって前記圧縮機の駆動オンまたはオフ信号を提供する第１制御部と、
前記圧縮機の駆動オン／オフ信号に応答してスイッチングされ、前記圧縮機へ前記常用電圧を供給する第１スイッチと、
始動時前記圧縮機の主巻線に流れる電流値を検出する電流検出部と、
前記常用電圧の状態（大きさ及び周波数）及び、始動時前記主巻線に流れる電流値によって異なるように、そして、前記圧縮機の始動時と始動後によって異なるように位相制御信号及びスイッチング制御信号を発生する第２制御部と、
前記スイッチング制御信号に応答して内部回路の構成を変更し、前記位相制御信号に応答して前記常用電圧の位相を制御することにより、前記圧縮機の主巻線に始動時は常用電圧による電流を制限して供給し、始動後は常用電圧による電流を正常に供給する電流制御部と、そして、
前記制御信号に応答して内部の回路を変更し、前記圧縮機の補助巻線に始動時は常用電圧による電流を用いた始動用静電容量を順次供給し、運転用静電容量を同時に供給し、始動後は前記常用電圧による電流を用いた前記運転用静電容量のみを前記各補助巻線に同時に供給する静電容量制御部とで構成されることを特徴とする圧縮機への電流及び静電容量の供給を制御する装置。
【請求項８】
常用電圧を供給する常用電圧源と、
第１及び第２圧縮機の全動作を制御し、使用者の選択によって圧縮機の駆動オンまたはオフ信号を提供する第１制御部と、
前記圧縮機の駆動オン／オフ信号に応答してスイッチングされ、前記圧縮機に常用電圧を供給する第１スイッチと、
前記常用電圧の状態によって異なるようにスイッチング制御信号を発生する第２制御部と、
前記スイッチング制御信号に応答して内部回路の構成を変更することにより、前記圧縮機の主巻線に始動時には温度に反比例する自体の特性に応じて、前記常用電圧による電流を制限して供給し、始動後は常用電圧による電流を正常に供給する電流制御部と、そして、
前記スイッチング制御信号に応答して内部の回路を変更し、前記圧縮機の補助巻線に、始動時は常用電圧による電流を用いた始動用静電容量を順次供給し、運転用静電容量を同時に供給し、始動後は前記常用電圧による電流を用いた前記運転用静電容量のみを同時に供給する静電容量制御部とで構成されることを特徴とする圧縮機への電流及び静電容量の供給を制御する装置。
【請求項９】
前記電流制御部は前記スイッチング制御信号に応答して、前記始動スタートから始動完了の間で、前記主巻線に次第に増加する方向に電流を供給することを特徴とする請求項３ないし請求項８に記載の圧縮機への電流及び静電容量の供給を制御する装置。
【請求項１０】
前記電流制御部は前記スイッチング制御信号に応答して、前記第１スイッチの出力接点と前記主巻線の間でスイッチングオンまたはオフされる第２スイッチと、そして、
第２スイッチの入力接点及び出力接点の間に並列接続され、前記第２スイッチング部のスイッチングオン／オフ状態及び位相制御信号に従って、前記主巻線へ共通に供給される電圧の位相を制御する位相制御部とで構成されることを特徴とする請求項３ないし請求項７に記載の圧縮機への電流及び静電容量の供給を制御する装置。
【請求項１１】
前記位相制御部は前記印加された常用電圧が基準常用電圧より低いと、前記可変となった位相制御信号に従ってより長くターンオンし、前記印加された常用電圧が前記基準常用電圧より高いと、より短くターンオンすることを特徴とする請求項１０に記載の圧縮機への電流及び静電容量の供給を制御する装置。
【請求項１２】
前記スイッチング制御信号に応答して、前記第２スイッチは始動時に前記第１スイッチの出力接点と前記主巻線を前記位相制御部を介して接続させ、始動後は前記第１スイッチの出力接点と前記主巻線が直接接続されるように前記電流制御部の内部回路を変更することを特徴とする請求項１０に記載の圧縮機への電流及び静電容量の供給を制御する装置。
【請求項１３】
前記位相制御部は前記位相制御信号によって駆動され、前記主巻線に供給される電圧の位相を制御するトライアクであることを特徴とする請求項１０に記載の圧縮機への電流及び静電容量の供給を制御する装置。
【請求項１４】
前記静電容量制御部は前記スイッチング制御信号に応答してスイッチングオンまたはオフされ、入力接点が前記第１スイッチの出力接点に接続される第３スイッチと、
入力端子が前記第３スイッチの出力接点に接続される始動用キャパシタと、
入力接点が前記始動用キャパシタの出力端子に、第１出力接点が前記第１圧縮機の補助巻線に、第２出力接点が前記第２圧縮機の補助巻線に接続され、前記スイッチング制御信号に応答して、前記入力接点が前記第１出力接点と第２出力接点に順次に連結される第４スイッチと、
入力端子が前記第１スイッチの出力接点に、出力端子が前記第１圧縮機の補助巻線に接続される第１運転用キャパシタと、そして、
入力端子が前記第１スイッチの出力接点に、出力端子が前記第２圧縮機の補助巻線に接続される第２運転用キャパシタとで構成されることを特徴とする請求項３及び請求項５ないし請求項８に記載の圧縮機への電流及び静電容量の供給を制御する装置。
【請求項１５】
前記第１圧縮機の始動時、前記第２スイッチはオフ、前記第３スイッチはオン、そして、前記第４スイッチは前記入力接点が前記第１圧縮機の補助巻線側である第１出力接点に連結され、
前記第２圧縮機の始動時、前記第２スイッチはオフ、前記第３スイッチはオン、そして、前記第４スイッチは前記入力接点が前記第２圧縮機の補助巻線側である第２出力接点に連結され、そして、
前記第１及び第２圧縮機の始動が完了した後、前記第２スイッチはオン、前記第３スイッチはオフ、そして、前記第４スイッチは動作しないことを特徴とする請求項１４に記載の圧縮機への電流及び静電容量の供給を制御する装置。
【請求項１６】
前記静電容量制御部は前記スイッチング制御信号に応答してスイッチングオンまたはオフされ、入力接点が前記第１スイッチの出力接点に接続される第３スイッチと、
第１端子が前記第３スイッチの出力接点に接続され、第２端子が前記第１圧縮機の補助巻線に接続される始動用第１キャパシタと、
第１端子が前記第１スイッチの出力接点に接続され、第２端子が前記始動用第１キャパシタの第２端子と前記第１圧縮機の補助巻線に接続される運転用第１キャパシタと、
入力接点が前記第１スイッチの出力接点に接続される第４スイッチと、
入力接点が前記第４スイッチの出力接点に接続される第５スイッチと、
第１端子が前記第５スイッチの出力接点に接続され、第２端子が前記第２圧縮機の補助巻線に接続される始動用第２キャパシタと、そして、
第１端子が前記第４スイッチの出力接点及び前記第５スイッチの入力接点に接続され、第２端子が前記始動用第２キャパシタの第２端子と前記第２圧縮機の補助巻線に接続される運転用第２キャパシタとで構成されることを特徴とする請求項３及び請求項５ないし請求項８に記載の圧縮機への電流及び静電容量の供給を制御する装置。
【請求項１７】
前記圧縮機の始動前半の間は、前記第２スイッチはオフ（開放）、前記第３スイッチはオン（閉路）、前記第４スイッチはオフ、そして、前記第５スイッチはオフされ、
前記圧縮機の始動後半の間は、前記第２スイッチはオフ（開放）、前記第３スイッチはオフ、前記第４スイッチはオン、そして、前記第５スイッチはオンされ、最後に、前記圧縮機の始動完了後は、前記第２スイッチはオン、前記第３スイッチはオフ、前記第４スイッチはオン、そして、前記第５スイッチはオフされることを特徴とする請求項１６に記載の圧縮機への電流及び静電容量の供給を制御する装置。
【請求項１８】
前記静電容量制御部は前記スイッチング制御信号に応答してスイッチングオンまたはオフされ、入力接点が前記第１スイッチの出力接点に接続される第３スイッチと、
第１端子が前記第３スイッチの出力接点に接続される負温度計数器と、
第１端子が前記負温度計数器の第２端子に接続される始動用キャパシタと、
入力接点が前記始動用キャパシタの第２端子に、第１出力接点が前記第１圧縮機の補助巻線に、第２出力接点が前記第２圧縮機の補助巻線に接続され、前記スイッチング制御信号に応答して、前記入力接点が前記第１出力接点と第２出力接点に順次連結される第４スイッチと、
第１端子が前記第１スイッチの出力接点に、第２端子が前記第１圧縮機の補助巻線に接続される運転用第１キャパシタと、そして、
第１端子が前記第１スイッチの出力接点に、第２端子が前記第２圧縮機の補助巻線に接続される運転用第２キャパシタとで構成されることを特徴とする請求項４に記載の圧縮機への電流及び静電容量の供給を制御する装置。
【請求項１９】
前記第１圧縮機の始動時、前記第２スイッチはオフ、前記第３スイッチはオン、そして、前記第４スイッチは前記入力接点が前記第１圧縮機の補助巻線側である第１出力接点に連結され、
前記第２圧縮機の始動時、前記第２スイッチはオフ、前記第３スイッチはオン、そして、前記第４スイッチは前記入力接点が前記第２圧縮機の補助巻線側である第２出力接点に連結され、そして、
前記第１及び第２圧縮機の始動が完了した後、前記第２スイッチはオン、前記第３スイッチはオフ、そして、前記第４スイッチは動作しないことを特徴とする請求項１８に記載の圧縮機への電流及び静電容量の供給を制御する装置。
【請求項２０】
前記静電容量制御部は前記スイッチング制御信号に応答してスイッチングオンまたはオフされ、入力接点が前記第１スイッチの出力接点に接続される第３スイッチと、
第１端子が前記第３スイッチの出力接点に接続される第１負温度計数器と、
第１端子が前記負温度計数器の第２端子に、第２端子は前記第１圧縮機の補助巻線に接続される始動用第１キャパシタと、
第１端子が前記第１スイッチの出力接点に接続され、第２端子は前記始動用第１キャパシタの第２端子と前記第１圧縮機の補助巻線に接続される運転用第１１キャパシタと、
入力接点が前記第１スイッチの出力接点に接続される第４スイッチと、
入力接点が前記第４スイッチの出力接点に接続される第５スイッチと、
第１端子が前記第５スイッチの出力接点に接続される第２負温度計数器と、
第１端子が前記第２負温度計数器の第２端子に、第２端子は前記第２圧縮機の補助巻線に接続される始動用第２キャパシタと、そして、
第１端子が前記第４スイッチの出力接点及び前記第５スイッチの入力接点に接続され、第２端子は前記始動用第２キャパシタの第２端子と前記第２圧縮機の補助巻線に接続される運転用第２キャパシタとで構成されることを特徴とする請求項４に記載の圧縮機への電流及び静電容量の供給を制御する装置。
【請求項２１】
前記圧縮機の始動前半の間は、前記第２スイッチはオフ（開放）、前記第３スイッチはオン（閉路）、前記第４スイッチはオフ、そして、前記第５スイッチはオフされ、
前記圧縮機の始動後半の間は、前記第２スイッチはオフ（開放）、前記第３スイッチはオフ、前記第４スイッチはオン、そして、前記第５スイッチはオンされ、最後に、前記圧縮機の始動完了後は、前記第２スイッチはオン、前記第３スイッチはオフ、前記第４スイッチはオン、そして、前記第５スイッチはオフされることを特徴とする請求項２０に記載の圧縮機への電流及び静電容量の供給を制御する装置。
【請求項２２】
前記外部温度感知部はサーミスタであることを特徴とする請求項５に記載の圧縮機への電流及び静電容量の供給を制御する装置。
【請求項２３】
前記電流検出部は前記電流制御部と前記主巻線の間に接続された抵抗であることを特徴とする請求項６及び請求項７に記載の圧縮機への電流及び静電容量の供給を制御する装置。
【請求項２４】
前記ディスプレイ部はＬＥＤであることを特徴とする請求項６に記載の圧縮機への電流及び静電容量の供給を制御する装置。
【請求項２５】
前記ＬＥＤは前記ディスプレイ信号に応答して、前記検出された主巻線の電流が既設定第１過度電流以上であれば点滅され、前記第１過度電流以下であり、第２過度電流（第１過度電流＞第２過度電流）以上であれば点灯され、そして、前記第２過度電流以下であればターンオフされることを特徴とする請求項２４に記載の圧縮機への電流及び静電容量の供給を制御する装置。
【請求項２６】
前記電流制御部は入力接点が前記第１スイッチの出力接点に、出力接点が前記主巻線に接続され、前記スイッチング制御信号に応答して前記第１スイッチの出力接点と前記主巻線の間でスイッチングされる第２スイッチと、そして、
入力端子が前記第１スイッチの出力接点に、出力端子が前記主巻線の間に接続され、前記入力端子と出力端子が前記第２スイッチの入力接点と出力接点に各々並列接続され、前記圧縮機の始動時前記主巻線に供給される電流の大きさを制限する負温度計数器とで構成されることを特徴とする請求項８に記載の圧縮機への電流及び静電容量の供給を制御する装置。
【請求項２７】
前記第２スイッチは前記スイッチング制御信号に応答して、始動時は前記第１スイッチの出力接点と前記主巻線を前記負温度計数器を介して接続させ、始動後は前記第１スイッチの出力接点と主巻線が前記負温度計数器を経ず、直接接続されるように前記電流制御部の内部回路を変更することを特徴とする請求項２６に記載の圧縮機への電流及び静電容量の供給を制御する装置。
【請求項２８】
常用電圧を圧縮機内に入力するステップ；
始動時には前記圧縮機の主巻線に前記常用電圧による電流を制限して提供し、前記圧縮機の補助巻線には前記常用電圧による電流を用いた始動用静電容量を順次に提供し、前記常用電圧による電流を用いた運転用静電容量は同時に提供するステップ；そして、
前記圧縮機の始動後は、前記始動用補助巻線に前記常用電圧による電流のみを用いた前記運転用静電容量のみを同時に提供し、前記主巻線には前記入力された常用電圧による電流をそのまま共通に提供するステップを備えることを特徴とする圧縮機への電流及び静電容量の供給を制御する方法。
【請求項２９】
前記主巻線に提供される電流は前記常用電圧の位相を制御することにより得られることを特徴とする請求項２８に記載の圧縮機への電流及び静電容量の供給を制御する方法。
【請求項３０】
前記始動時間を始動初期、始動中期、及び始動末期に区分時、前記始動初期には前記主巻線に提供される電流は第１大きさの制限値を有し、始動中期には前記第１大きさから前記常用電圧による第２大きさの電流値まで次第に増加し、そして、始動末期は前記圧縮機が動作する限り、前記第２大きさの電流を前記主巻線に持続的に提供することを特徴とする請求項２８に記載の圧縮機への電流及び静電容量の供給を制御する方法。
【請求項３１】
前記常用電圧の大きさを感知するステップ；そして、
前記感知した常用電圧の大きさによって前記常用電圧の位相を制御することにより、前記主巻線に流れる電流を制限するステップを更に備えることを特徴とする請求項２８に記載の圧縮機への電流及び静電容量の供給を制御する方法。
【請求項３２】
前記圧縮機の外部温度を感知するステップ；そして、
前記感知された圧縮機の外部温度により、前記圧縮機の主巻線に供給される電圧の位相を可変的に制御するステップを更に備えることを特徴とする請求項２８に記載の圧縮機への電流及び静電容量の供給を制御する方法。
【請求項３３】
前記圧縮機の主巻線に流れる電流の位相を可変的に制御するステップは、前記感知温度値と季節により既設定された基準値とを比較するステップ；そして、
前記比較結果に応じて、前記主巻線に供給される電圧の位相を制御するステップで構成されることを特徴とする請求項３２に記載の圧縮機への電流及び静電容量の供給を制御する方法。
【請求項３４】
前記始動時に前記主巻線に流れる電流を感知するステップ、  前記感知電流を既設定した少なくとも一つの基準値と比較するステップ；そして、
前記比較結果に応じて、前記主巻線に流れる電流の状態をディスプレイ素子を通じてディスプレイするステップを更に備えることを特徴とする請求項２８に記載の圧縮機への電流及び静電容量の供給を制御する方法。
【請求項３５】
前記ディスプレイ素子はＬＥＤであることを特徴とする請求項２８に記載の圧縮機への電流及び静電容量の供給を制御する方法。
【請求項３６】
前記電流の状態をディスプレイするステップは、前記感知した電流が既設定の第１過度電流以上であればディスプレイ素子を点滅させ、前記第１過度電流より小さく、第２過度電流（第１過度電流＞第２過度電流）以上であれば前記ディスプレイ素子を点灯させ、そして、第２過度電流以下であれば正常状態として見なし、前記ディスプレイ素子を動作させないことを特徴とする請求項３４に記載の圧縮機への電流及び静電容量の供給を制御する方法。
【請求項３７】
前記始動中前記主巻線に流れる電流値を検出するステップ、
前記検出した電流値から始動電圧値を求めるステップ；
前記始動電圧値を既設定された少なくとも一つの基準電圧値と比較するステップ；そして、
前記比較結果に応じて、前記主巻線に供給される電圧の位相を制御するステップを更に備えることを特徴とする請求項２８に記載の圧縮機への電流及び静電容量の供給を制御する方法。
【請求項３８】
前記位相制御ステップは、前記始動電圧値が既設定第１基準電圧以上であれば、前記圧縮機の駆動が停止するように前記電流の供給を中断し、前記始動電圧値が前記第１基準電圧より低く、第２基準電圧値より大きいときは、前記電流の大きさが小さくなるように前記電圧の位相を制御し、そして、前記始動電圧値が前記第２基準電圧値以下であれば、前記電流の初期位相をそのまま維持することを特徴とする請求項３７に記載の圧縮機への電流及び静電容量の供給を制御する方法。
【請求項３９】
前記始動中前記主巻線に流れる電流の大きさは負温度計数器により制限されることを特徴とする請求項２８に記載の圧縮機への電流及び静電容量の供給を制御する方法。
【請求項４０】
前記始動中前記主巻線に流れる電流の大きさはトライアクにより制限されることを特徴とする請求項２８に記載の圧縮機への電流及び静電容量の供給を制御する方法。
【請求項４１】
前記トライアクは前記印加された常用電圧が基準常用電圧より低いと、前記可変となった位相制御信号に従ってより長くターンオンし、前記印加された常用電圧が前記基準常用電圧より高いと、より短くターンオンすることを特徴とする請求項４０に記載の圧縮機への電流及び静電容量の供給を制御する方法。
【発明の詳細な説明】
【０００１】
（技術分野）
本発明は複数の圧縮機へ供給される電流及び静電容量を制御する装置並びに方法に関する。
【０００２】
（背景技術）
図１は従来技術による圧縮機への電流及び静電容量の供給を制御する装置を示すダイアグラムである。
【０００３】
図１に示すように、従来圧縮機への電流及び静電容量の供給制御装置は、常用電圧源１と、圧縮機の制御信号に従ってオンまたはオフ動作を行う第１継電器２と、その第１継電器２のターンオン動作により、常用電圧源１を介して供給される常用電圧の無効電力を吸収し、圧縮機モータＭの主巻線Ｃ１に常用電圧を印加するリアクタ３と、リアクタ３の電圧を監視するための第２継電器４と、第２継電器４によって開放または閉鎖されるようにリアクタ３と並列結合される第１接点部４ａと、リアクタ３と並列に接続される運転用キャパシタ５と、運転用キャパシタ５と並列結合される始動用キャパシタ６と、始動時電圧を監視するための第３継電器７と、第３継電器によって開放または閉鎖されるように第２継電器４の先端に設けられる第２接点部７ａと、そして、始動用キャパシタの後端に設けられる第３接点部７ｂとで構成されている。
【０００４】
以下で図１の構成による装置の動作を説明する。
【０００５】
まず、圧縮機の制御信号が印加されると、第１継電器２がターンオンされつつ、リアクタ３を介して圧縮機モータＭの主巻線Ｃ１に電圧が供給される。この際、主巻線Ｃ１に供給される電圧はリアクタ３によって無効電力が除去された値である。また、圧縮機モータＭの補助巻線には、第３接点部７ｂの閉鎖による運転用キャパシタ５と始動用キャパシタ６の並列回路構造を介して常用電圧が供給される。一方、図１の領域８の動作を参照すると、圧縮機の始動初期には圧縮機モータＭが回転しないため、第３継電器７に印加される電圧が低く、第３継電器７が作動しない。また、圧縮機モータＭが回転しつつ第３継電器７にかかる電圧が上昇して圧縮機モータＭの回転数が一定値以上になると、第３継電器７が作動し、これに従って第２接点部７ａは閉鎖され、第３接点部７ｂは開放される。従って、第２接点部７ａの閉鎖動作により第２継電器４が作動するので、第１接点部４ａが閉鎖動作してリアクタ３は短絡され、第３接点部７ｂの開放動作により始動用キャパシタ６は回路から分離される。即ち、始動瞬間はリアクタ３が圧縮機モータＭと直列に連結され、過多な電流を制限し、始動用キャパシタ６は始動時補助巻線Ｃ２に提供される容量を大きくして圧縮機の始動特性を改善させる。
【０００６】
しかし、従来技術による圧縮機への電源供給制御装置は次のような短所がある。
【０００７】
第一、始動容量制御領域８の不良が頻繁に発生する。
【０００８】
第二、圧縮機の電源供給装置は主に機械的構成となっているため相当の費用がかかる。
【０００９】
第三、始動時圧縮機モータＭの回転による電圧上昇によって始動制御を完了するので、始動電流の制限が正確に行われず、始動特性が良くない。
【００１０】
第四、圧縮機の始動時、過度電流が発生すると遮断機が作動し、圧縮機の周辺機器に悪影響を与えるだけでなく、圧縮機を元の状態に復帰させるにも不便である。
【００１１】
（発明の開示）
本発明は上記従来の問題点を解決する圧縮機に電流及び静電容量の供給を制御する装置並びに方法を提供する。
【００１２】
本発明の目的は、二つ以上の圧縮機へ供給される電源を制御する装置並びに方法を提供することに目的がある。
【００１３】
本発明の他の目的は圧縮機の始動時、その圧縮機の主巻線に過度電流が流れることを防止することのできる圧縮機への電流及び静電容量の供給を制御する装置並びに方法を提供することにある。
【００１４】
本発明のまた他の目的は、圧縮機の主巻線に流れる電流状態を使用者に直接認識させることのできる圧縮機への電流及び静電容量の供給を制御する装置並びに方法に関する。
【００１５】
本発明のまた他の目的は外部からの常用電圧の変動に係わらず、圧縮機へ安定した電圧を供給できる圧縮機への電流及び静電容量の供給制御装置並びに方法を提供することにある。
【００１６】
本発明のまた他の目的は、圧縮機の始動時及び運転時、急激な電流の集中による内部接点の破損を防止できる圧縮機への電流及び静電容量の供給制御装置並びに方法を提供することにある。
【００１７】
本発明のまた他の目的は、圧縮機の外部の温度状態及び季節に符合するように安定的に圧縮機へ電流及び静電容量を供給できる圧縮機への電流及び静電容量の供給制御装置並びに方法を提供することにある。
【００１８】
上記目的を達成するための本発明の装置並びに方法によれば、制御信号発生部は、まず、外部常用電圧の状態、つまり常用電圧の大きさ及び周波数を感知する。次いで、圧縮機の始動時と始動後を区分する。それから、印加された外部常用電圧が既設定値より高いか低いかによって、異なるように始動時圧縮機の主巻線への電流供給を制御するための位相制御信号を発生する。そして、制御信号発生部は始動時及び始動後によって異なるように圧縮機の主巻線及び始動用補助巻線に供給される外部常用電圧の大きさを制御するように内部回路を変更するためのスイッチング制御信号を提供する。また、制御信号発生部は圧縮機の外部温度、季節及び現在圧縮機のモータへ供給される電圧状態に応じて、可変的にスイッチング制御信号及び位相制御信号を発生できる。一方、本発明における制御信号発生部は位相制御方法として常用電圧による電流の供給を制御する。また、本発明では電圧による電流の位相を制御するためにトライアクまたは負温度計数器を使用する。
【００１９】
電流制御部は位相制御信号に応答して電流の位相を制御すると共に、内部回路の構成を可変とすることにより、圧縮機の始動時には主巻線に常用電圧による電流を制限して供給し、始動後は常用電圧による電流を正常に供給する。
【００２０】
一方、静電容量制御部は制御信号に応答して内部回路の構成を可変とすることにより、始動時には始動用補助巻線に始動用静電容量と運転用静電容量を供給し、始動後は運転用静電容量のみを供給する。電流制御部及び静電容量制御部は、制御信号に応答して内部構成を可変とするために各々スイッチを備え、制御信号発生部は始動時及び始動後によって異なるようにスイッチング制御信号を発生し、そのスイッチング制御信号に応答してスイッチは反対に動作する。
【００２１】
（発明を実施するためのベストモード）
以下、本発明の実施例を詳細に説明する。図２は本発明による圧縮機への電源供給を制御する装置の概念図である。図２の装置は圧縮機の全動作を制御する第１制御部１１と、常用電圧を提供する常用電圧源１３と、第１制御部１１の圧縮機駆動信号に応答して駆動するスイッチ１２と、常用電圧源の状態及び、始動前後によって、圧縮機１７、１８の主巻線１９、２１及び補助巻線２０、２２へ供給される常用電圧原１３を制御するための制御信号を提供する制御信号発生部１４と、制御信号に応答して、始動中には主巻線に常用電圧による電流を制限して供給し、始動後は電流を正常に供給する電流制御部１５と、そして、制御信号に応答して、始動中には始動用静電容量及び運転用静電容量を補助巻線に供給し、始動後は運転用静電容量のみを供給する静電容量制御部１６とで構成されている。
【００２２】
（第１実施例）
図３は本発明の第１実施例による圧縮機への電流及び静電容量の供給を制御する装置の構成を示すダイアグラムである。本第１実施例では二つの圧縮機を制御するモデルが考慮されている。
【００２３】
図３の装置は常用電圧源３３と、圧縮機３７、３８の全体動作を制御し、使用者の選択によって異なるように圧縮機３７、３８の駆動オン／オフ信号を提供する第１制御部３１と、圧縮機３７、３８の駆動オン／オフ信号に応答してスイッチングされ、圧縮機３７、３８へ常用電圧を供給する第１スイッチ３２と、常用電圧の状態（大きさ及び周波数）及び、圧縮機の始動時と始動後によって異なる位相制御信号及びスイッチング制御信号を発生する第２制御部３４と、スイッチング制御信号に応答して内部回路の構成を変更し、位相制御信号に応答して常用電圧の位相を制御することにより、圧縮機３７、３８の主巻線４６、４８に始動時には電流を制限して供給し、始動後は正常に電流を提供する電流制御部３５と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを各補助巻線４７、４９に同時に供給する静電容量制御部３６とで構成されている。一方、電流制御部３５は位相制御信号及びスイッチング制御信号に応答して、始動スタートから始動完了の間で、圧縮機３７、３８の主巻線４６、４８に次第に増加する方向に電流を供給する。また、電流制御部３５は、スイッチング制御信号に応答して、第１スイッチ３２の出力接点と主巻線４６、４８の間でスイッチングオンまたはオフされる第２スイッチ４０と、そして、第２スイッチ４０の入力接点及び出力接点の間に並列接続され、第２スイッチ４０のスイッチングオン／オフ状態及び位相制御信号に従って、主巻線４６、４８へ共通に供給される電流の位相を制御する位相制御部３９とで構成される。静電容量制御部３６は、スイッチング制御信号に応答して第２スイッチ４０とは反対にスイッチングオン／オフされ、入力接点が第１スイッチ３２の出力接点に接続される第３スイッチ４１と、入力端子が第３スイッチ４１の出力接点に接続される始動用第１キャパシタ４２と、入力接点が始動用第１キャパシタ４２の出力端子に接続され、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順に連結される第４スイッチ４３と、入力端子が第１スイッチ３２の出力接点に、出力端子が第１圧縮機３７の補助巻線４７に接続される運転用第２キャパシタ４４と、そして、入力端子が第１スイッチ３２の出力接点に、出力端子が第２圧縮機３８の補助巻線４９に接続される運転用第３キャパシタ４５とで構成される。
【００２４】
電流制御部３５の第２スイッチ４０はスイッチング制御信号に応答して、始動時には第１スイッチ３２の出力接点と主巻線４６、４８を位相制御部３９を介して接続させ、始動後は第１スイッチ３２の出力接点と主巻線４６、４８が直接接続するように動作して内部の回路を変更させる。そして、スイッチング制御信号に応答して、第３スイッチ４１は圧縮機３７、３８の始動時には第１スイッチ３２の出力接点が始動用第１キャパシタ４２と電気的に連結され、始動後は第１スイッチ３２の出力接点が始動用第１キャパシタ４２と電気的に断絶されるように動作して、内部回路を変更させる。第４スイッチ４３は圧縮機３７、３８の始動時、第２制御部３４からのスイッチング制御信号に応答して、始動用キャパシタ４２の始動容量が第１圧縮機３７の補助巻線４７及び第２圧縮機３８の補助巻線４９に順次に供給されるように動作する。運転用第２キャパシタ４４と第３キャパシタ４５は常に第１スイッチ３２の出力接点と第１圧縮機３７の補助巻線４７及び、第２圧縮機３８の補助巻線４９に接続されているので、圧縮機３７、３８の始動時及び始動後に常に補助巻線４７、４９へ各々該運転用静電容量を提供する。従って、圧縮機３７、３８の補助巻線４７、４９には始動時には始動用静電容量と運転用静電容量が共に提供されるので、始動後に比べ大きな静電容量が提供され、更に始動効率もが良くなる。一方、電流制御部３５の位相制御部３９は位相制御信号に従って駆動し、主巻線４６、４８に共通に供給される電流の位相を制御するトライアクである。以下では位相制御部をトライアク３９と称する。上述した通り、位相制御部としてのトライアク３９は、第２制御部３４からの位相制御信号がそれのゲートに印加されると、常用電圧による電流の位相を制御する。通常、ゲート電圧はパルス形態で提供され、印加された常用電圧が基準値（例えば、１１０Ｖまたは２２０Ｖ）より低いとき、パルス信号は大きなデューティレシオを有し、印加された常用電圧が基準値より高いとき、パルス信号は小さいデューティレシオを有する。従って、圧縮機３７、３８の主巻線４６、４８に過電流が流れず、適切な電流が流れるようにする。
【００２５】
一方、第４スイッチ４３の入力接点が第１出力接点に連結され、圧縮機３７の始動時、始動用第１キャパシタ４２と運転用第２キャパシタ４４は第３スイッチ４１のスイッチング動作によって第１圧縮機３７の補助巻線４７に始動トルク容量を提供するために互いに並列接続されるが、始動後は、運転用第２キャパシタ４４のみが補助巻線４７に運転用静電容量の提供のために用いられる。図３に示してないが、常用電圧源３３から所望の大きさの内部電圧が得られるトランス、入力された常用電圧の大きさを感知して第２制御部３４に提供する電圧感知部、トランスから提供された内部電圧から常用電圧の周波数を感知して第２制御部３４に提供する周波数感知部が図３に付加され得る。第２制御部３４は電圧感知部及び周波数感知部を介して感知された常用電圧の大きさ及び周波数によって異なるようにスイッチング制御信号及び位相制御信号を発生し、その制御信号を電流制御部３５及び静電容量制御部３６へ提供する。一方、上述した通り、入力された常用電圧の大きさが変動すると、第２制御部３４からの位相制御信号もまた変更し、電流制御部３５内のトライアク３９はその変更した位相制御信号に従って動作し、主巻線４６、４８には常に一定の電流が流れるようになる。また、圧縮機３７、３８の始動後は始動用補助巻線４７、４９には常用電圧による電流のみを用いた運転用静電容量のみが提供され、主巻線４６、４８には常用電圧による正常の大きさの電流がそのまま提供される。
【００２６】
以下で、図３を参照して本発明の第１実施例による装置の動作を詳細に説明する。
【００２７】
まず、使用者の選択によって第１制御部３１が圧縮機駆動オン信号を発生すると、第１スイッチ３２はオンされ閉路となる。次いで、常用電圧源３３を介して常用電圧が印加されると、トランスは常用電圧から制御装置に必要な内部電圧を供給する。次いで、制御装置内の第２制御部３４は初期化され、電圧感知部は感知された常用電圧の大きさを第２制御部３４に提供する。一方、周波数感知部は常用電圧の周波数を感知して、その周波数を第２制御部３４に提供する。第２制御部３４は提供された常用電圧の大きさ及び周波数に基づき、常用電圧の状態を判断する。次いで、第２制御部３４は判断された常用電圧の状態に応じて、電流制御部３５及び静電容量制御部３６へ提供されるための位相制御信号及びスイッチング制御信号を発生させる。即ち、静電容量制御部３６の始動用第１キャパシタ４２に常用電圧による電流を印加するための始動時間を決定する第１スイッチング制御信号と、第１圧縮機３７及び第２圧縮機３８を順次に始動させるためのスイッチング制御信号を発生し、第１スイッチング制御信号を第２スイッチ４０及び第３スイッチ４１に提供し、第２スイッチング制御信号を第４スイッチ４３に提供する。従って、始動時には第１スイッチング制御信号に従って第３スイッチ４１はオンされ、第２スイッチ４０はオフされる。一方、第２スイッチング制御信号に従って始動前半には第４スイッチ４３の入力接点が第１出力接点に、始動後半には第４スイッチ４３の入力接点が第２出力接点に連結される。第２制御部３４は圧縮機３７、３８の主巻線４６、４８に供給される常用電圧による電流の位相を制御するために位相制御信号を提供する。この位相制御信号に従ってトライアク３９は駆動され、主巻線４６、４８に提供される電流は可変となる。上述したように、位相制御信号はトライアク３９のゲートへ印加される矩形波信号として、電圧感知部から提供された常用電圧の大きさに基づきそれのデューティレシオが決定され、電流制御部３５への出力時点は周波数感知部から提供された常用電圧の周波数値によって決定される。即ち、位相制御信号は、周波数感知部を介して感知された周波数信号に従ってトライアク３９に供給され始める。例えば、周波数感知部の出力信号が’０Ｖ’から’５Ｖ’に上昇した時点から第２制御部３４内のタイマー（図示せず）が駆動し、常用電圧の状態により決定された矩形波形態の位相制御信号はトライアク３９のゲートに印加される。一方、トライアク３９に印加される位相制御信号は始動初期に制限された大きさの一定の電流が流れるように、始動中期の間は、主巻線４６、４８に次第に増加する電流が流れるように、そして、始動末期には常用電圧による正常の大きさの電流が主巻線４６、４８に流れるように第２制御部３４によって形成される。
【００２８】
圧縮機３７、３８の補助巻線４７、４９には始動特性を向上させるために、始動後に比べ始動時により大きな静電容量を提供することが必要である。従って、まず、運転用第２キャパシタ４４と始動用第１キャパシタ４２は第３スイッチ４１がオン動作し、第４スイッチ４３の入力接点が第１出力接点に連結されることにより互いに並列接続され、始動用の大きな静電容量を形成し、この静電容量は始動中、第１圧縮機３７の補助巻線４７に提供される。次いで、運転用第３キャパシタ４５と始動用第１キャパシタ４２は第３スイッチ４１がオン動作し、第４スイッチ４３の入力接点が第２出力接点に連結されることにより互いに並列接続され、始動用の大きな静電容量を形成し、この静電容量は始動中、第２圧縮機３８の補助巻線４９に提供される。一方、圧縮機３７、３８の始動が完了すると、第３スイッチ４１がオフされ開放されるので、運転中に第１圧縮機３７の補助巻線４７には運転用第２キャパシタ４４の運転用静電容量のみが、第２圧縮機３８の補助巻線４９には第３キャパシタ４５の運転用静電容量のみが提供される。圧縮機３８の位相制御信号とスイッチング制御信号は、前述したように、入力される常用電圧の状態に応じて決定される。即ち、常用電圧が既設定過電圧より低い場合は、トライアク３９のオン時間と第３スイッチ４１のオン（閉路）時間はより長く決定され、従って、圧縮機３８は低電圧状態でも始動が良くかかる。反面、入力された常用電圧が既設定過電圧より高い場合には、トライアク３０のオン時間と第３スイッチ４１のオン時間はより短く決定され、これにより、主巻線４６、４８に過度電流が流れることが防止される。
【００２９】
前述したように、第３スイッチ４１がオンされ、トライアク３９が一定の時間動作することで圧縮機３７、３８の始動が完了すると、第３スイッチ４１はオフされ開放されるし、始動用キャパシタ４２を介して補助巻線４７、４９に供給される始動用静電容量は遮断される。一方、始動後に第３スイッチ４１がオフされ一定の時間が経過すると、第２スイッチ４０がオンされ、常用電圧による電流はトライアク３９の代わりにターンオンした第２スイッチ４０を介して主巻線４６、４８に共通に流れる。この際、トライアク３９は装置の安定した動作のために第３スイッチ４１がオフされ、第２スイッチ４０がターンオンされた後も一定の時間ターンオンの状態を維持する。その後、電流はターンオンされた第２スイッチ４０のみを介して主巻線４６、４８に提供される。従って、この際の電流は始動時の制限した大きさではなく、常用電圧による正常の大きさを有する。一方、図３に示す主制御部としての第１制御部３１からの圧縮機駆動オフ信号によって第１スイッチ２３がオフされ開放されると、常用電圧はそれ以上圧縮機３７、３８へ供給されず、圧縮機３７、３８の運転は停止される。前述したように、本発明は二つの圧縮機を使用するエアコンに提供されうる。
【００３０】
上述したように、第１実施例の装置によれば次の効果を有する。
【００３１】
入力される常用電圧の状態に応じて始動時間と位相制御信号の大きさが制御され、この位相制御信号によってトライアクが駆動され、主巻線に供給される電流の大きさを制御するので、常用電圧の変動にも常に安定した電流を圧縮機へ供給できる。また、始動時補助巻線には始動用キャパシタの始動用静電容量を第４スイッチのスイッチング動作によって第１圧縮機、第２圧縮機の順に提供する。従って、複数の圧縮機の始動時、常用電圧による電流を制御することにより、電流の使用を最適化させることができる。また、制御装置によって複数の圧縮機へ供給される電源が制御され、制御装置の構成を簡略化させることができる。
【００３２】
（第２実施例）
図４は本発明の第２実施例による圧縮機への電流及び静電容量の供給を制御する装置を示すダイアグラムである。図４の装置は実際に第１実施例の図３の構成と同じであり、単に、図３の静電容量制御部３６の第３スイッチ４１と始動用第１キャパシタ４２の間に負温度計数器５０が更に備えられている。
【００３３】
図４の装置は常用電圧源３３と、圧縮機３７、３８の全体動作を制御し、使用者の選択によって圧縮機３７、３８の駆動オン／オフ信号を提供する第１制御部３１と、圧縮機３７、３８の駆動オン／オフ信号に応答してスイッチングされ、圧縮機３７、３８へ常用電圧を供給する第１スイッチ３２と、常用電圧の状態（大きさ及び周波数）及び、圧縮機の始動時と始動後によって異なる位相制御信号及びスイッチング制御信号を発生する第２制御部３４と、スイッチング制御信号に応答して内部回路の構成を変更し、位相制御信号に応答して常用電圧の位相を制御することにより、圧縮機３７、３８の主巻線４６、４８に始動時には常用電圧による電流を制限して供給し、始動後は正常に電流を提供する電流制御部３５と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを補助巻線４７、４９に同時に供給し、瞬間放電による突入電流防止の機能を有する静電容量制御部３６とで構成されている。電流制御部３５はスイッチング制御信号及び位相制御信号に応答して、始動スタートから始動完了の間で、圧縮機３７、３８の主巻線４６、４８に次第に増加する電流を供給する。また、電流制御部３５は、スイッチング制御信号に応答して、第１スイッチ３２の出力接点と主巻線４６、４８の間でスイッチングオン／オフされる第２スイッチ４０と、そして、第２スイッチ４０の入力接点及び出力接点の間に並列接続され、第２スイッチ４０のスイッチングオン／オフ状態及び位相制御信号に従って、主巻線４６、４８へ共通に供給される電流の位相を制御する位相制御部３９とで構成される。
【００３４】
静電容量制御部３６は、スイッチング制御信号に応答してスイッチングオン／オフされ、入力接点が第１スイッチ３２の出力接点に接続される第３スイッチ４１と、第１端子が第３スイッチ４１の出力接点に接続される負温度計数器５０と、第１端子が負温度計数器５０の第２端子に接続される始動用第１キャパシタ４２と、入力接点が始動用第１キャパシタ４２の第２端子に、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順次に連結される第４スイッチ４３と、第１端子が第１スイッチ３２の出力接点に、第２端子が第１圧縮機３７の補助巻線４７に接続される運転用第２キャパシタ４４と、そして、第１端子が第１スイッチ３２の出力接点に、第２端子が第２圧縮機３８の補助巻線４９に接続される運転用第３キャパシタ４５とで構成される。
【００３５】
負温度計数器５１は第３スイッチ４１と始動用第１キャパシタ４２の間に設けられ、圧縮機３７、３８の始動初期時、始動用第１キャパシタ４２と運転用第２キャパシタ４４及び第３キャパシタ４５の間で瞬間放電によって突入電流が第３スイッチ４１に流れることを防止することで、第３スイッチ４１の融着を防ぐ。言い換えると、トライアク３９がオンとなる前数秒の間は、運転用第２キャパシタ４４及び第３キャパシタ４５の充電電流と、始動用第１キャパシタ４２の充電電流とが突入電流として補助巻線４７、４９に流れることがある。この際、始動用第１キャパシタ４２を用いるために第３スイッチ４１がオンとなるとき、瞬間放電による突入電流が発生しうる。しかし、負温度計数器５０が始動用第１キャパシタ４２と運転用第２キャパシタ４４及び第３キャパシタ４５の間に設けられているので、突入電流による第３スイッチ４１の融着が防止される。即ち、負温度計数器５０はその特性によって大きな初期抵抗値を有し、発熱時に抵抗値は次第に小さくなる。このように大きな初期抵抗値により、突入電流による第３スイッチ４１の破損が防止される。
【００３６】
第２実施例による装置の動作は、負温度計数器の部分を除いては第１実施例と同一であるので、その説明は省略する。
【００３７】
上述した通り、第２実施例の装置によれば第１実施例の効果の上、次の効果を更に奏する。始動用キャパシタと運転用キャパシタ及び第３スイッチの間に、発熱時に変動する抵抗値を有する負温度計数器が設けられることにより、始動初期トライアクがターンオンされる瞬間、始動キャパシタと運転支援用キャパシタの間での突入電流の発生が防止され、更に、近接したスイッチの接点が融着されたり、始動用キャパシタが破損することを防ぐことができる。
【００３８】
（第３実施例）
図５は本発明の第３実施例による装置を示すダイアグラムである。図５の装置は圧縮機の外部温度を第２制御部に伝達する外部温度感知部５１を除いては第１実施例と同一である。従って、第３実施例の簡略な構成及び外部温度感知部の機能のみを以下に説明する。
【００３９】
図５の装置は常用電圧源３３と、圧縮機３７、３８の全体動作を制御し、使用者の選択によって圧縮機３７、３８の駆動オン／オフ信号を提供する第１制御部３１と、圧縮機３７、３８の駆動オン／オフ信号に応答してスイッチングされ、圧縮機３７、３８へ常用電圧を供給したり中断する第１スイッチ３２と、圧縮機３７、３８の外部温度を感知する外部温度感知部５１と、常用電圧の状態（大きさ及び周波数）及び、圧縮機の始動時と始動後によって異なるように、そして、感知した室外温度によって異なるように位相制御信号及びスイッチング制御信号を発生する第２制御部３４と、スイッチング制御信号に応答して内部回路の構成を変更し、位相制御信号に応答して常用電圧の位相を制御することにより、圧縮機３７、３８の主巻線４６、４８に始動時には常用電圧による電流を制限して供給し、始動後は正常に電流を提供する電流制御部３５と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを補助巻線４７、４９に同時に供給する静電容量制御部３６とで構成されている。電流制御部３５は位相制御信号及びスイッチング制御信号に応答して、始動スタートから始動完了の間で、主巻線３７、３８の主巻線４６、４８に次第に増加する方向に電流を供給する。また、電流制御部３５は、スイッチング制御信号に応答して、第１スイッチ３２の出力接点と主巻線４６、４８の間でスイッチングオン／オフされる第２スイッチ４０と、そして、第２スイッチ４０の入力接点及び出力接点の間に並列接続され、第２スイッチ４０のスイッチングオン／オフ状態及び位相制御信号に従って、主巻線４６、４８へ共通に供給される電流の位相を制御する位相制御部３９とで構成される。静電容量制御部３６は、スイッチング制御信号に応答して第２スイッチ４０とは反対にスイッチングオン／オフされ、入力接点が第１スイッチ３２の出力接点に接続される第３スイッチ４１と、第１端子が第３スイッチ４１の出力接点に接続される始動用第１キャパシタ４２と、入力接点が始動用第１キャパシタ４２の第２端子に、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順次に連結される第４スイッチ４３と、第１端子が第１スイッチ３２の出力接点に、第２端子が第１圧縮機３７の補助巻線４７に接続される運転用第２キャパシタ４４と、そして、第１端子が第１スイッチ３２の出力接点に、第２端子が第２圧縮機３８の補助巻線４９に接続される運転用第３キャパシタ４５とで構成される。前記外部温度感知部５１はサーミスタであり得る。
【００４０】
一方、外部温度感知部５１は圧縮機３７、３８の外部温度を感知して、第２制御部３４へ提供する。次いで、第２制御部３４は感知した常用電圧の状態及び外部の温度値に基づき、電流制御部３５及び静電容量制御部３６に提供されるための位相制御信号及びスイッチング制御信号を発生させる。また、第２制御部３４は圧縮機３７、３８の主巻線４６、４８に供給される常用電圧による電流の位相を制御するために位相制御信号を提供し、この位相制御信号は外部温度感知部５１から入力された電圧値によって可変となる。即ち、第２制御部３４は現在の外部温度値と既設定基準温度値とを比較して、現在の室外温度値に当たる季節を探し、その季節に合うよう位相制御信号を発生する。前記位相制御信号はパルス形態の信号として、トライアク３９のゲートに印加される。例えば、室外温度値が夏の基準設定温度のＴ１以上である場合は、トライアク３９に印加される位相制御信号のパルス幅を夏に当たるＰ３に設定し、室外温度が冬の基準設定温度のＴ３以下であれば、位相制御信号のパルス幅を冬に当たるＰ１に設定し、そして、室外温度値が春と秋の基準温度のＴ２であれば、位相制御信号のパルス幅は春と冬に当たるＰ２に設定される。参考に、圧縮機３７、３８の始動時に外部の温度が低いと、圧縮機の冷媒の粘度が落ち、モータ拘束もが激しくなるので、位相制御信号に当たるパルスの幅を広くしなければならない。従って、Ｐ１のパルス幅が最も大きく、Ｐ２、Ｐ３の順にパルス幅を有する。前記季節により設定された位相制御信号に従って、トライアク３９は駆動され、主巻線４６、４８に提供される電流は可変となる。前述したように、位相制御信号はトライアク３９のゲートに印加される矩形波信号として、外部温度値だけでなく、他の実施例で説明した通り、既感知された常用電圧の大きさによってそれのデューティレシオが決定され、周波数値によってパルスの出力時点が決定される。
【００４１】
上述した通り、第３実施例によれば、トライアクに提供される位相制御信号が季節によって適切に変化するので、圧縮機の始動を最適化することができる。また、始動時静電容量制御部は、まず、第１圧縮機を始動し、次いで第２圧縮機を始動するので、始動電流を効率的に使用できる。
【００４２】
（第４実施例）
図６は本発明の第４実施例による装置を示すダイアグラムである。
【００４３】
図６の装置は始動時圧縮機３７、３８の主巻線４６、４８に流れる電流を検出して第２制御部３４へ伝達する電流検出部５２と、第２制御部３４からのディスプレイ信号に応答して、検出電流の状態を使用者に知らせるディスプレイ部５３とを除いては第１実施例と同一である。従って、第４実施例の簡略な構成及び電流検出部とディスプレイ部の動作のみを以下に説明する。
【００４４】
図６の装置は常用電圧源３３と、圧縮機３７、３８の全体動作を制御し、使用者の選択によって圧縮機３７、３８の駆動オン／オフ信号を提供する第１制御部３１と、圧縮機３７、３８の駆動オン／オフ信号に応答してスイッチングされ、圧縮機３７、３８へ常用電圧を供給したり中断する第１スイッチ３２と、圧縮機３７、３８の主巻線４６、４８に各々流れる電流を検出して第２制御部３４へ伝達する電流検出部５２と、常用電圧の状態（大きさ及び周波数）及び、圧縮機の始動時と始動後によって異なるように位相制御信号及びスイッチング制御信号を発生し、始動時に検出された主巻線４６、４８の電流の状態をディスプレイするためのディスプレイ信号を発生する第２制御部３４と、スイッチング制御信号に応答して内部回路の構成を変更し、位相制御信号に応答して常用電圧の位相を制御することにより、圧縮機３７、３８の主巻線４６、４８に始動時には常用電圧による電流を制限して供給し、始動後は正常に電流を提供する電流制御部３５と、ディスプレイ信号に応答して、検出した電流の状態を外部にディスプレイするディスプレイ部５３と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを補助巻線４７、４９に同時に供給する静電容量制御部３６とで構成されている。電流制御部３５は位相制御信号及びスイッチング制御信号に応答して、始動スタートから始動完了の間で、主巻線３７、３８の主巻線４６、４８に次第に増加する方向に電流を供給する。また、電流制御部３５は、スイッチング制御信号に応答して、第１スイッチ３２の出力接点と主巻線４６、４８の間でスイッチングオン／オフされる第２スイッチ４０と、そして、第２スイッチ４０の入力接点及び出力接点の間に並列接続され、第２スイッチ４０のスイッチングオン／オフ状態及び位相制御信号に従って、主巻線４６、４８へ共通に供給される電流の位相を制御する位相制御部３９とで構成される。静電容量制御部３６は、スイッチング制御信号に応答してスイッチングオン／オフされ、入力接点が第１スイッチ３２の出力接点に接続される第３スイッチ４１と、第１端子が第３スイッチ４１の出力接点に接続される始動用第１キャパシタ４２と、入力接点が始動用第１キャパシタ４２の第２端子に、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順次に連結される第４スイッチ４３と、第１端子が第１スイッチ３２の出力接点に、第２端子が第１圧縮機３７の補助巻線４７に接続される運転用第２キャパシタ４４と、そして、第１端子が第１スイッチ３２の出力接点に、第２端子が第２圧縮機３８の補助巻線４９に接続される運転用第３キャパシタ４５とで構成される。図６で、電流検出部５２は抵抗であり、ディスプレイ部５３はＬＥＤ（ｌｉｇｈｔ  ｅｍｉｔｔｉｎｇ  ｄｉｏｄｅ）であり得る。
【００４５】
第２制御部３４は始動時圧縮機３７、３８の主巻線４６、４８に流れる現在の電流値の状態を知らせるためのディスプレイ信号を提供する。このディスプレイ信号は、前述したように、主巻線４６、４８に流れる電流値に基づき可変となりうる。即ち、第２制御部３４は主巻線４６、４８の現在の電流値と既設定基準過度電流値とを互いに比較して、現在電流値の状態に合うようにディスプレイ信号を発生する。例えば、主巻線４６、４８の電流が既設定第１過度電流以上である場合は、ＬＥＤ５３を点滅させ、使用者にこれを警告する。また、検出電流が第１過度電流以下であり、第２過度電流以上であれば、ＬＥＤ５３を点灯させ、サービス呼出が可能であるようにする。一方、検出した主巻線４６、４８の電流が第２過度電流以下であれば第２制御部３４はこれを正常状態として見なし、ＬＥＤ５３をターンオフさせる。従って、使用者はこの状態を正常として認識できる。このようなディスプレイ方法は他の方法によって行われることができる。上述した通り、第４実施例によれば、主巻線に流れる過度な電流が常に感知され、その感知値が外部にディスプレイされることにより、主巻線に過度な電流が流れる場合、使用者がこれを認識できるようになる。また、本発明は始動時、静電容量制御部は第１圧縮機を先に始動し、次いで、第２圧縮機を始動するので、始動電流を効率よく使用することができる。
【００４６】
（第５実施例）
図７は本発明の第５実施例による圧縮機への電流及び静電容量の供給を制御する装置の構成を示すダイアグラムである。
【００４７】
図７の装置は常用電圧源３３と、圧縮機３７、３８の全体動作を制御し、使用者の選択によって圧縮機３７、３８の駆動オン／オフ信号を提供する第１制御部３１と、圧縮機３７、３８の駆動オン／オフ信号に応答してスイッチングされ、圧縮機３７、３８へ常用電圧を供給する第１スイッチ３２と、始動時圧縮機３７、３８の主巻線４６、４８に流れる電流値を検出する電流検出部５４と、常用電圧の状態（大きさ及び周波数）及び、始動時主巻線４６、４８に流れる電流値によって異なるように、そして、圧縮機の始動時と始動後によって異なるように位相制御信号及びスイッチング制御信号を発生する第２制御部３４と、スイッチング制御信号に応答して内部回路の構成を変更し、位相制御信号に応答して常用電圧の位相を制御することにより、圧縮機３７、３８の主巻線４６、４８に始動時には常用電圧による電流を制限して供給し、始動後は正常に電流を提供する電流制御部３５と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを補助巻線４７、４９に同時に供給する静電容量制御部３６とで構成されている。図７で、電流検出部は抵抗であり得る。電流制御部３５は位相制御信号及びスイッチング制御信号に応答して、始動スタートから始動完了の間で、主巻線３７、３８の主巻線４６、４８に次第に増加する方向に電流を供給する。また、電流制御部３５は、スイッチング制御信号に応答して、第１スイッチ３２の出力接点と主巻線４６、４８の間でスイッチングオン／オフされる第２スイッチ４０と、そして、第２スイッチ４０の入力接点及び出力接点の間に並列接続され、第２スイッチ４０のスイッチングオン／オフ状態及び位相制御信号に従って、主巻線４６、４８へ共通に供給される電流の位相を制御する位相制御部３９とで構成される。静電容量制御部３６は、スイッチング制御信号に応答してスイッチングオン／オフされ、入力接点が第１スイッチ３２の出力接点に接続される第３スイッチ４１と、入力端子が第３スイッチ４１の出力接点に接続される始動用第１キャパシタ４２と、入力接点が始動用第１キャパシタ４２の出力端子に、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順次に連結される第４スイッチ４３と、入力端子が第１スイッチ３２の出力接点に、出力端子が第１圧縮機３７の補助巻線４７に接続される第１運転用キャパシタ４４と、そして、入力端子が第１スイッチ３２の出力接点に、出力端子が第２圧縮機３８の補助巻線４９に接続される第２運転用キャパシタ４５とで構成される。前記位相制御部３９はトライアクであり得る。
【００４８】
一方、電流検出部５４が始動時主巻線４６、４８に流れる電流値を感知して第２制御部３４に提供すると、第２制御部３４は圧縮機３７、３８の主巻線４６、４８に流れる電流値と電流検出部５４（以下で抵抗５４）の抵抗値とを掛け、主巻線４６、４８での始動電圧値を求める。位相制御信号は主巻線４６、４８に流れる電流値、または始動電圧値によって可変となりうる。即ち、第２制御部３４は主巻線４６、４８の現在の始動電圧値と既設定基準過度電圧値とを比較して、主巻線４６、４８の現在の電流値の状態を探し、その状態に合うように位相制御信号を変化させる。例えば、主巻線４６、４８の現在の電流が既設定された第１過度電流以上である場合は、第２制御部３４はこれを第１制御部３１に知らせ、圧縮機３７、３８が拘束状態であることを認識させる。次いで、第１制御部３１は第１スイッチ３２に駆動オフ信号を送り、第１スイッチ３２をオフ（開放）させる。従って、圧縮機３７、３８にはそれ以上常用電圧が供給されず、圧縮機３７、３８は動作を中止する。一方、検出した主巻線４６、４８の電流が第１過度電流以下であり、第２過度電流以上であれば、第２制御部３４は主巻線４６、４８に過度な電流が流れることと見なし、トライアク３９のゲートにパルス形態に印加される位相制御信号の幅を減少させる。即ち、位相制御信号の大きさを減少させる。一方、検出した主巻線４６、４８の電流が第２過度電流以下であれば第２制御部３４はこれを正常状態として見なし、初期の位相制御値をそのまま維持してトライアク３９へ提供する。この際、入力される常用電圧は正常の状態と見なす。このように位相制御信号の可変方法は他の方法によって行われることができる。
【００４９】
上述した通り、第５実施例によれば、始動時、主巻線の電流値の変動に応じて、第２制御部は位相制御信号を適切に変化させ、トライアクに印加することにより、主巻線には常に安定した始動電流が提供される効果がある。
【００５０】
（第６実施例）
図８は本発明の第６実施例による装置の構成を示すダイアグラムである。
【００５１】
第６実施例は実際に第１実施例と大体同じであるが、第１実施例における位相制御部としてのトライアクの代わりに負温度計数器が使用されている。
【００５２】
図８の装置は常用電圧源３３と、圧縮機３７、３８の全体動作を制御し、使用者の選択によって圧縮機３７、３８の駆動オン／オフ信号を提供する第１制御部３１と、圧縮機３７、３８の駆動オン／オフ信号に応答してスイッチングされ、圧縮機３７、３８へ常用電圧を供給する第１スイッチ３２と、常用電圧の状態（大きさ及び周波数）によって異なるようにスイッチング制御信号を発生する第２制御部３４と、スイッチング制御信号に応答して内部回路の構成を変更することにより、圧縮機３７、３８の主巻線４６、４８に始動時には常用電圧による電流を制限して供給し、始動後は正常に電流を提供する電流制御部３５と、そして、スイッチング制御信号に応答して内部回路を変更し、圧縮機３７、３８の補助巻線４７、４９に始動時には始動用静電容量を順に供給し、運転用静電容量は同時に供給し、始動後は常用電圧による電流を用いた運転用静電容量のみを各補助巻線４７、４９に同時に供給する静電容量制御部３６とで構成されている。一方、電流制御部３５はスイッチング制御信号に応答して、始動スタートから始動完了の間で、圧縮機３７、３８の主巻線４６、４８に次第に増加する方向に電流を供給する。また、電流制御部３５は、スイッチング制御信号に応答して、第１スイッチ３２の出力接点と主巻線４６、４８の間でスイッチングオンまたはオフされる第２スイッチ４０と、そして、第２スイッチ４０の入力接点及び出力接点の間に並列接続され、第２スイッチ４０のスイッチングオン／オフ状態に応じて、主巻線４６、４８へ共通に供給される電流を制御する負温度計数器５５とで構成される。静電容量制御部３６は、スイッチング制御信号に応答してスイッチングオン／オフされ、入力接点が第１スイッチ３２の出力接点に接続される第３スイッチ４１と、入力端子が第３スイッチ４１の出力接点に接続される始動用第１キャパシタ４２と、入力接点が始動用第１キャパシタ４２の出力端子に接続され、第１出力接点が第１圧縮機３７の補助巻線４７に、第２出力接点が第２圧縮機３８の補助巻線４９に接続され、スイッチング制御信号に応答して、入力接点が第１出力接点と第２出力接点とに順に連結される第４スイッチ４３と、入力端子が第１スイッチ３２の出力接点に、出力端子が第１圧縮機３７の補助巻線４７に接続される運転用第２キャパシタ４４と、そして、入力端子が第１スイッチ３２の出力接点に、出力端子が第２圧縮機３８の補助巻線４９に接続される運転用第３キャパシタ４５とで構成される。即ち、第１実施例の位相制御部３９は本実施例で負温度計数器５５である。
【００５３】
一方、図８で始動初期時、第２スイッチ４０がオフされ開放され、負温度計数器５５に常用電圧が印加されると、負温度計数器５５は常用電圧を制限し、圧縮機３７、３８の主巻線４６、４８に過電流が流れることを防止する。また、負温度計数器５５は圧縮機３７、３８の始動時に主巻線４６、４８へ供給される始動電流が既設定された基準始動電流値を超過しないように、大きな初期抵抗値を有している。より詳しく説明すると、負温度計数器５５は最も大きな初期抵抗値を有し、温度が高くなるほど抵抗は次第に小さくなるので、圧縮機３７、３８の主巻線４６、４８に流れる始動電流を大きな初期抵抗値によって制限する。次いで、負温度計数器５５へ常用電圧による電流が供給されると、負温度計数器５５自体には熱が発生し、初期抵抗値は急激に低下する。それから、始動が完了すると、スイッチング制御信号に従って第２スイッチ４０がオンされ、閉路されるので、常用電圧による電流は負温度計数器５５を経ず、第２スイッチ４０を介して正常の大きさを有しつつ主巻線４６、４８に流れるようになる。
【００５４】
上述した通り、第６実施例によれば、始動時、温度と反比例の抵抗値を有する負温度計数器を介して、始動初期に制限された電流を圧縮機へ供給することにより、過電流が主巻線に流れることを防ぐことができる。また、一制御装置を介して第１圧縮機が先に始動し、次いで、第２圧縮機が始動するので、始動電流の効率を高められ且つ、制御装置の構成を簡略化させることができる。
【００５５】
（第７実施例）
図９は本発明の第７実施例による圧縮機への電流及び静電容量の供給を制御する装置の構成を示すダイアグラムである。本第７実施例では二つの圧縮機を制御するモデルが考慮されている。
【００５６】
図９の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給する第１スイッチ６２と、常用電圧の状態（大きさ及び周波数）及び、圧縮機の始動時と始動後によって異なる位相制御信号及びスイッチング制御信号を発生する第２制御部６４と、スイッチング制御信号に応答して内部回路の構成を変更し、位相制御信号に応答して常用電圧による電流の位相を制御することにより、圧縮機６７、６８の主巻線７８、８０に始動時には常用電圧による電流を制限して供給し、始動後は正常に電流を提供する電流制御部６５と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを各補助巻線７９、８１に同時に供給する静電容量制御部６６とで構成されている。一方、電流制御部６５は位相制御信号及びスイッチング制御信号に応答して、始動スタートから始動完了の間で、圧縮機６７、６８の主巻線７８、８０に次第に増加する方向に電流を供給する。また、電流制御部６５は、スイッチング制御信号に応答して、第１スイッチ６２の出力接点と主巻線７８、８０の間でスイッチングオンまたはオフされる第２スイッチ７０と、そして、第２スイッチ７０の入力接点及び出力接点の間に並列接続され、第２スイッチ７０のスイッチングオン／オフ状態及び位相制御信号に従って、主巻線７８、８０へ共通に供給される電流の位相を制御する位相制御部６９とで構成される。静電容量制御部６６は、スイッチング制御信号に応答してスイッチングオン／オフされ、入力接点が第１スイッチ６２の出力接点に接続される第３スイッチ７２と、第１端子が第３スイッチ７２の出力接点に接続され、第２端子が第１圧縮機６７の補助巻線７９に接続される始動用第１キャパシタ７３と、第１端子が第１スイッチ６２の出力接点に接続され、第２端子が始動用第１キャパシタ７３の第２端子ち第１圧縮機６７の補助巻線７９に接続される第１運転用キャパシタ７４と、入力接点が第１スイッチ６２の出力接点に接続される第４スイッチ７１と、入力接点が第４スイッチ７１の出力接点に接続される第５スイッチ７５と、第１端子が第５スイッチ７５の出力接点に、第２端子が第２圧縮機６８の補助巻線８１に接続される始動用第２キャパシタ７６と、そして、第１端子が第４スイッチ７１の出力接点及び第５スイッチ７５の入力接点に、第２端子が始動用第２キャパシタ７６の第２端子と第２圧縮機６８の補助巻線８１に接続される運転用第２キャパシタ７７とで構成されている。
【００５７】
電流制御部６５と静電容量制御部６６の第２スイッチ７０、第３スイッチ７２、第４スイッチ７１及び第５スイッチ７５は、第１圧縮機６７と第２圧縮機６８とが順次に始動するように、以下の順にスイッチングオンまたはオフされる。
【００５８】
まず、圧縮機６７、６８の始動前半の間は、第２スイッチ７０はオフ（開放）、第３スイッチ７２はオン（閉路）、第４スイッチ７１はオフ、そして、第５スイッチ７５はオフされる。次いで、圧縮機６７、６８の始動後半の間は、第２スイッチ７０はオフ（開放）、第３スイッチ７２はオフ、第４スイッチ７１はオン、そして、第５スイッチ７５はオンされる。最後に、圧縮機６７、６８の始動後には第２スイッチ７０はオン、第３スイッチ７２はオフ、第４スイッチ７１はオン、そして、第５スイッチ７５はオフされる。このようなスイッチ７０、７１、７２、７５のスイッチング動作により、第１圧縮機６７が先に始動してから第２圧縮機６８が始動し、以後は、第１制御部６１から駆動オフ信号があるまで共に運転される。より詳細に説明すると、電流制御部６５の第２スイッチ７１はスイッチング制御信号に応答して、始動時には第１スイッチ６２の出力接点と主巻線７８、８０を位相制御部６９（以下でトライアク６９）を介して接続させ、始動後は第１スイッチ６２の出力接点と主巻線７８、８０が直接接続するように内部の回路を変更させる。そして、スイッチング制御信号に応答して、第３スイッチ７２は第１圧縮機６７の始動時には、つまり、始動前半の間は、第１スイッチ６２の出力接点が始動用第１キャパシタ７３と電気的に連結され、始動後は第１スイッチ６２の出力接点が始動用第１キャパシタ７３と電気的に断絶されるように内部の回路を変更させる。第４スイッチ７１は第１圧縮機６７の始動中にはオフされ、第１圧縮機６７の始動が完了して第２圧縮機６８が始動時、つまり、始動後半及び運転が完了するまで、第２制御部６４からのスイッチング制御信号に応答してオン状態を維持する。一方、第５スイッチ７５は始動後半の間にのみオンされ、第４スイッチ７１を介して印加された常用電圧による電流を第２始動キャパシタ７６に印加させる。従って、第２圧縮機６８の始動の間は、第２始動キャパシタ７６の始動容量が第２圧縮機６８の補助巻線８１に提供される。次いで、第２圧縮機６８の始動が完了すると、第５スイッチ７５はオフされ、第２始動キャパシタ７６はそれ以上始動容量を第２圧縮機６８の補助巻線８１に提供しない。
【００５９】
一方、第１圧縮機６７及び第２圧縮機６８の始動が共に完了した後は、第２スイッチ７０と第４スイッチ７１のみがオン状態を維持するので、第１運転キャパシタ７４と第２運転キャパシタ７７にのみ常用電圧による電流が印加され、これらは各々第１圧縮機６７の補助巻線７９及び第２圧縮機６８の補助巻線８１に接続されているので、第１及び第２圧縮機６７、６８の補助巻線７９及び補助巻線８１には該運転用静電容量が提供される。従って、第１及び第２圧縮機６７、６８の補助巻線７９、８１に始動時には始動用静電容量と運転用静電容量とが共に提供されるので、始動後に比べ大きな静電容量が提供され、更に始動効率もが良くなる。一方、電流制御部６５のトライアク６９は位相制御信号に従って駆動し、主巻線６７、６８に共通に供給される電流の位相を制御する。前述した通り、位相制御部としてのトライアク６９は、電流制御部６５からの位相制御信号がそれのゲートに印加されると、常用電圧による電流の位相を制御する。通常、ゲート電圧はパルス形態で提供され、印加された常用電圧が基準値（例えば、１１０Ｖまたは２２０Ｖ）より低いとき、パルス信号は大きなデューティレシオを有し、基準値より高いときは、パルス信号は小さいデューティレシオを有する。従って、第１及び第２圧縮機６７、６８の主巻線７８、８０に過電流が流れず、適切な電流が流れるようにする。一方、第３スイッチ７２がオンされ、第１圧縮機６７が始動中であるとき、第１始動キャパシタ７３と第１運転キャパシタ７４は第１圧縮機６７の補助巻線７９に始動トルク容量を提供するために互いに並列接続され、始動後は、第１運転キャパシタ７４のみが第１圧縮機６７の補助巻線７９に運転用静電容量を提供するために用いられる。反面、第４スイッチ７１と第５スイッチ７５がオンされ、第２圧縮機６８が始動中であるとき、第２始動キャパシタ７６と第２運転キャパシタ７７は第２圧縮機６８の補助巻線８１に始動トルク容量を提供するために互いに並列接続され、始動後は、第２運転キャパシタ７７のみが第２圧縮機６８の補助巻線８１に運転用静電容量を提供するために用いられる。一方、始動後は第２スイッチ７０が持続的にオン状態を維持し、主巻線７８、８０には常用電圧による正常の大きさの電流がトライアク６９を経ず、そのまま提供される。
【００６０】
図９に示してないが、常用電圧源６３から所望の大きさの内部電圧が得られるトランス、入力された常用電圧の大きさを感知して第２制御部６４に提供する電圧感知部、トランスから提供された内部電圧から常用電圧の周波数を感知して第２制御部６４に提供する周波数感知部が図９に付加され得る。
【００６１】
第２制御部６４は電圧感知部及び周波数感知部を介して感知された常用電圧の大きさ及び周波数によって異なるようにスイッチング制御信号及び位相制御信号を発生し、その制御信号を電流制御部６５及び静電容量制御部６６へ提供する。一方、上述した通り、入力された常用電圧の大きさが変動すると、第２制御部６４からの位相制御信号もまた変更し、電流制御部６５内のトライアク６９はその変更した位相制御信号に従って動作し、主巻線７８、８０には常に一定の電流が流れるようになる。
【００６２】
以下で、図９を参照して本発明の第７実施例による装置の動作を詳細に説明する。
【００６３】
まず、使用者の選択によって第１制御部６１が圧縮機駆動オン信号を発生すると、第１スイッチ６２はオンされ閉路となる。次いで、常用電圧源６３を介して常用電圧が印加されると、トランスは常用電圧から制御装置に必要な内部電圧を供給する。次いで、制御装置内の第２制御部６４は初期化され、電圧感知部は感知された常用電圧の大きさを第２制御部６４に提供する。一方、周波数感知部は常用電圧の周波数を感知して、その周波数を第２制御部６４に提供する。第２制御部６４は提供された常用電圧の大きさ及び周波数に基づき、常用電圧の状態を判断する。次いで、第２制御部６４は判断された常用電圧の状態に応じて、電流制御部６５及び静電容量制御部６６へ提供されるための位相制御信号及びスイッチング制御信号を発生させる。即ち、静電容量制御部６６の始動用第１キャパシタ７３に常用電圧による電流を印加するための始動時間を決定するスイッチング制御信号と、第１圧縮機６７及び第２圧縮機６８を順次に始動させるためのスイッチング制御信号を発生し、そのスイッチング制御信号を第２スイッチ７０、第３スイッチ７２、第４スイッチ７１、及び第５スイッチ７５に提供する。従って、始動前半（第１圧縮機６７の始動時）にはスイッチング制御信号に従って第３スイッチ７２はオンされ、他のスイッチはオフされる。一方、始動後半（第２圧縮機６８の始動時）にはスイッチング制御信号に従って第４スイッチ７１と第５スイッチ７５のみオンされ、他のスイッチはオフされる。始動の後は第２スイッチ７０と第４スイッチ７１のみがオンされ、他のスイッチはオフされる。第２制御部６４は圧縮機６７、６８の主巻線７８、８０に供給される常用電圧による電流の位相を制御するために位相制御信号を提供する。この位相制御信号に従ってトライアク６９は駆動され、主巻線７８、８０に提供される電流は可変となる。上述したように、位相制御信号は始動時にトライアク６９のゲートへ印加される矩形波信号として、電圧感知部から提供された常用電圧の大きさに基づきそれのデューティレシオが決定され、電流制御部６５への出力時点は周波数感知部から提供された常用電圧の周波数値によって決定される。即ち、位相制御信号は、周波数感知部を介して感知された周波数信号に従ってトライアク６９に供給され始める。例えば、周波数感知部の出力信号が’０Ｖ’から’５Ｖ’に上昇した時点から第２制御部６４内のタイマー（図示せず）が駆動し、常用電圧の状態により決定された矩形波形態の位相制御信号はトライアク６９のゲートに印加される。一方、トライアク６９に印加される位相制御信号は各圧縮機の始動初期には制限された大きさの一定の電流が主巻線７８、８０に流れるように、始動中期の間は、主巻線７８、８０に次第に増加する電流が流れるように、そして、始動末期には常用電圧による正常の大きさの電流が主巻線７８、８０に流れるように第２制御部６４によって形成される。
【００６４】
圧縮機６７、６８の補助巻線７９、８１には始動特性を向上させるために、始動後に比べ始動時により大きな静電容量を提供することが必要である。従って、まず、運転用第１キャパシタ７４と始動用第１キャパシタ７３は第３スイッチ７２がオン動作し、第４スイッチ７１がオフされ、互いに並列接続することで始動用の大きな静電容量を形成し、この静電容量は第１圧縮機６７の始動中、第１圧縮機６７の補助巻線４７に提供される。次いで、運転用第２キャパシタ７７と始動用第２キャパシタ７６は第３スイッチ７２がオフ動作し、第４スイッチ７１及び第５スイッチ７５がオンされることで互いに並列接続され、始動用の大きな静電容量を形成し、この静電容量は始動後半中、第２圧縮機６８の補助巻線８１に提供される。一方、圧縮機６７、６８の始動が完了すると、第３スイッチ７２と第５スイッチ７５がオフされ開放されるので、運転中に第１圧縮機６７の補助巻線７９には運転用第１キャパシタ７４の運転用静電容量のみが、第２圧縮機６８の補助巻線８１には運転用第２キャパシタ７７の運転用静電容量のみが提供される。圧縮機６７、６８の位相制御信号とスイッチング制御信号は、前述したように、入力される常用電圧の状態に応じて決定される。即ち、常用電圧が既設定過電圧より低い場合は、トライアク６９のオン時間と第３スイッチ７１及び第５スイッチ７５のオン（閉路）時間はより長く決定され、従って、圧縮機６７、６８は低電圧状態でも始動が良くかかる。反面、入力された常用電圧が既設定過電圧より高い場合には、トライアク６９のオン時間と第３スイッチ７１及び第５スイッチ７５のオン時間はより短く決定され、これにより、主巻線７８、８０に過度電流が流れることが防止される。
【００６５】
前述したように、トライアク６９が一定の時間動作することで圧縮機６７、６８の始動が完了すると、第３スイッチ７１及び第５スイッチ７５はオフされ開放されるし、第２スイッチ７０及び第４スイッチ７１のみがオンされる。従って、主巻線７８、８０には常用電圧による電流がそのまま印加され、補助巻線７９、８１には運転用キャパシタ７４、７７により発生した静電容量のみが提供される。一方、始動の後一定の時間が経過すると、第２スイッチ７０がオンされ、常用電圧による電流はトライアク６９の代わりにターンオンした第２スイッチ７０を介して主巻線７８、８０に共通に流れる。この際、トライアク６９は装置の安定した動作のために第３スイッチ７２及び第５スイッチ７５がオフされ、第２スイッチ７０がターンオンされた後も一定の時間ターンオンの状態を維持する。一方、図９に示す主制御部としての第１制御部６１からの圧縮機駆動オフ信号によって第１スイッチ６２がオフされ開放されると、常用電圧はそれ以上圧縮機６７、６８へ供給されず、圧縮機６７、６８の運転は停止される。前述したように、本発明は二つの圧縮機を使用するエアコンに提供されうる。
【００６６】
上述したように、第７実施例の装置によれば次の効果を有する。
【００６７】
入力される常用電圧の状態に応じて始動時間と位相制御信号の大きさが制御され、この位相制御信号によってトライアクが駆動され、主巻線に供給される電流の大きさを制御するので、常用電圧の変動にも常に安定した電流を圧縮機へ供給できる。また、始動時にはスイッチング動作によって第１及び第２圧縮機が順次に始動するので、常用電圧による電流を効率よく使用することができる。また、制御装置によって複数の圧縮機へ供給される電源が制御され、制御装置の構成を簡略化させることができる。
【００６８】
（第８実施例）
図１０は本発明の第８実施例による圧縮機への電流及び静電容量の供給を制御する装置を示すダイアグラムである。図１０の装置は実際に第７実施例の図９の構成と同じであり、単に、図９の静電容量制御部６６の第３スイッチ７２と始動用第１キャパシタ７３との間、また、第５スイッチ７５と始動用第２キャパシタ７６との間に負温度計数器が更に備えられている。
【００６９】
図１０の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給する第１スイッチ６２と、常用電圧の状態（大きさ及び周波数）及び、圧縮機の始動時と始動後によって異なる位相制御信号及びスイッチング制御信号を発生する第２制御部６４と、スイッチング制御信号に応答して内部回路の構成を変更し、位相制御信号に応答して常用電圧の位相を制御することにより、圧縮機６７、６８の主巻線７８、８０に始動時には常用電圧による電流を制限して供給し、始動後は正常に電流を提供する電流制御部６５と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを補助巻線７９、８１に同時に供給し、瞬間放電による突入電流防止の機能を有する静電容量制御部６６とで構成されている。電流制御部６５はスイッチング制御信号及び位相制御信号に応答して、始動スタートから始動完了の間で、圧縮機６７、６８の主巻線７８、８０に次第に増加電流を供給する。また、電流制御部６５は、スイッチング制御信号に応答して、第１スイッチ６２の出力接点と主巻線７８、８０の間でスイッチングオン／オフされる第２スイッチ７０と、そして、第２スイッチ７０の入力接点及び出力接点の間に並列接続され、第２スイッチ７０のスイッチングオン／オフ状態及び、位相制御信号に従って、主巻線７８、８０へ共通に供給される電流の位相を制御する位相制御部６９とで構成される。静電容量制御部６６は、スイッチング制御信号に応答してスイッチングオン／オフされ、入力接点が第１スイッチ６２の出力接点に接続される第３スイッチ７２と、第１端子が第３スイッチ７２の出力接点に接続される第１負温度計数器８２と、第１端子が第１負温度計数器８２の第２端子に、第２端子が第１圧縮機６７の補助巻線７９に接続される始動用第１キャパシタ７３と、第１端子が第１スイッチ６２の出力接点に接続され、第２端子が始動用第１キャパシタ７３の第２端子と第１圧縮機６７の補助巻線７９に接続される運転用第１キャパシタ７４と、入力接点が第１スイッチ６２の出力接点に接続される第４スイッチ７１と、入力接点が第４スイッチ７１の出力接点に接続される第５スイッチ７５と、第１端子が第５スイッチ７５の出力接点に連結される第２負温度計数器８３と、第１端子が第２負温度計数器８３の第２端子に、第２端子が第２圧縮機６８の補助巻線８１に接続される始動用第２キャパシタ７６と、そして、第１端子が第４スイッチ７１の出力接点及び第５スイッチ７５の入力接点に、第２端子が始動用第２キャパシタ７６の第２端子と第２圧縮機６８の補助巻線８１に接続される運転用第２キャパシタ７７とで構成される。
【００７０】
第１負温度計数器８２は第３スイッチ７２と始動用第１キャパシタ７３の間に設けられ、第１圧縮機６７の始動初期時、始動用第１キャパシタ７３と運転用第１キャパシタ７４の間で瞬間放電によって突入電流が第３スイッチ７２に流れることを防止することで、第３スイッチ７２の融着を防ぐ。言い換えると、トライアク６９がオンとなる前数秒の間は、運転用第２キャパシタ７４の充電電流と、始動用第１キャパシタ７３の充電電流とが突入電流として補助巻線７９に流れることがある。この際、始動用第１キャパシタ７３を用いるために第３スイッチ７２がオンとなるとき、瞬間放電による突入電流が発生しうる。しかし、負温度計数器８２が始動用第１キャパシタ７３と運転用第１キャパシタ７４の間に設けられているので、突入電流による第３スイッチ７２の融着が防止される。即ち、第１負温度計数器８２はその特性によって大きな初期抵抗値を有し、発熱時に抵抗値は次第に小さくなる。このように大きな初期抵抗値により、突入電流による第３スイッチ７２の破損が防止される。同様に、第２負温度計数器８３は第５スイッチ７５と始動用第１キャパシタ７６の間に設けられ、第２圧縮機６８の始動初期時、始動用第２キャパシタ７６と運転用第２キャパシタ７７との間で瞬間放電によって突入電流が第５スイッチ７５に流れることを防止することで、第５スイッチ７５の融着を防ぐ。
【００７１】
第８実施例による装置の動作は、負温度計数器の部分を除いては第７実施例と同一であるので、その説明は省略する。
【００７２】
上述した通り、第８実施例の装置によれば第７実施例の効果の上、次の効果を更に奏する。始動用キャパシタ、運転用キャパシタ、第３及び第５スイッチの間に、発熱時に変動する抵抗値を有する負温度計数器が設けられることにより、始動初期トライアクがターンオンされる瞬間、始動キャパシタと運転支援用キャパシタの間での突入電流の発生が防止され、更に、近接したスイッチの接点が融着されたり、始動用キャパシタが破損することを防ぐことができる。
【００７３】
（第９実施例）
図１１は本発明の第９実施例による装置を示すダイアグラムである。図１１の装置は圧縮機の外部温度を第２制御部６４に伝達する外部温度感知部８４を除いては第７実施例と同一である。従って、第９実施例の簡略な構成及び外部温度感知部の機能のみを以下に説明する。
【００７４】
図１１の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給したり中断する第１スイッチ６２と、圧縮機６７、６８の外部温度を感知する温度感知部８４と、常用電圧の状態（大きさ及び周波数）及び、圧縮機６７、６８の始動時と始動後によって異なるように、そして、感知した室外温度によって異なるように位相制御信号及びスイッチング制御信号を発生する第２制御部６４と、スイッチング制御信号に応答して内部回路の構成を変更し、位相制御信号に応答して常用電圧の位相を制御することにより、圧縮機６７、６８の主巻線７８、８０に始動時には常用電圧による電流を制限して供給し、始動後は正常に電流を提供する電流制御部６５と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを補助巻線７９、８１に同時に供給する静電容量制御部６６とで構成されている。
【００７５】
図１１の他の構成は第７実施例と同一であるので、外部温度感知部８４以外の詳細な説明は省略する。
【００７６】
外部温度感知部８４はサーミスタであり得る。一方、外部温度感知部８４は圧縮機６７、６８の外部温度を感知して、第２制御部６４へ提供する。次いで、第２制御部６４は感知した常用電圧の状態及び外部の温度値に基づき、電流制御部６５及び静電容量制御部６６に提供されるための位相制御信号及びスイッチング制御信号を発生させる。また、第２制御部６４は圧縮機６７、６８の主巻線７８、８０に供給される常用電圧による電流の位相を制御するために位相制御信号を提供し、この位相制御信号は外部温度感知部８４から入力された電圧値によって可変となる。即ち、第２制御部６４は現在の外部温度値と既設定基準温度値とを比較して、現在の室外温度値に当たる季節を探し、その季節に合うよう位相制御信号を発生する。前記位相制御信号はパルス形態の信号として、トライアク６９のゲートに印加される。例えば、室外温度値が夏の基準設定温度のＴ１以上である場合は、トライアク６９に印加される位相制御信号のパルス幅を夏に当たるＰ３に設定し、室外温度が冬の基準設定温度のＴ３以下であれば、位相制御信号のパルス幅を冬に当たるＰ１に設定し、そして、室外温度値が春と秋の基準温度のＴ２であれば、位相制御信号のパルス幅は春と冬に当たるＰ２に設定される。参考に、圧縮機６７、６８の始動時に外部の温度が低いと、圧縮機の冷媒の粘度が落ち、モータ拘束もが激しくなるので、位相制御信号に当たるパルスの幅を広くしなければならない。従って、Ｐ１のパルス幅が最も大きく、Ｐ２、Ｐ３の順にパルス幅を有する。この際、常用電圧の状態は正常として見なす。前記季節により設定された位相制御信号に従って、トライアク６９は駆動され、主巻線７８、８０に提供される電流は可変となる。前述したように、位相制御信号はトライアク６９のゲートに印加される矩形波信号として、外部温度値だけでなく、他の実施例で説明した通り、既感知された常用電圧の大きさによってそれのデューティレシオが決定され、周波数値によってパルスの出力時点が決定される。
【００７７】
上述した通り、第９実施例によれば、トライアクに提供される位相制御信号が季節によって適切に変化するので、圧縮機の始動を最適化することができる。また、始動時静電容量制御部は、まず、第１圧縮機を始動し、次いで第２圧縮機を始動するので、始動電流を効率的に使用できる。
【００７８】
（第１０実施例）
図１２は本発明の第１０実施例による装置を示すダイアグラムである。
【００７９】
図１２の装置は始動時圧縮機６７、６８の主巻線７８、８０に流れる電流を検出して第２制御部６４へ伝達する電流検出部８５と、第２制御部６４からのディスプレイ信号に応答して、検出電流の状態を使用者に知らせるディスプレイ部８６とを除いては第７実施例と同一である。従って、第１０実施例の簡略な構成及び電流検出部とディスプレイ部の動作のみを以下に説明する。
【００８０】
図１２の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給したり中断する第１スイッチ６２と、始動時圧縮機６７、６８の主巻線７８、８０に各々流れる電流を検出して第２制御部６４へ伝達する電流検出部８５と、常用電圧の状態（大きさ及び周波数）及び、圧縮機６７、６８の始動時と始動後によって異なるように位相制御信号及びスイッチング制御信号を発生し、始動時に検出された主巻線７８、８０の電流の状態をディスプレイするためのディスプレイ信号を発生する第２制御部６４と、スイッチング制御信号に応答して内部回路の構成を変更し、位相制御信号に応答して常用電圧の位相を制御することにより、圧縮機６７、６８の主巻線７８、８０に始動時には常用電圧による電流を制限して供給し、始動後は正常に電流を提供する電流制御部６５と、ディスプレイ信号に応答して、検出した電流の状態を外部にディスプレイするディスプレイ部８６と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを補助巻線７９、８１に同時に供給する静電容量制御部６６とで構成されている。図１２で、電流検出部８５は抵抗であり、ディスプレイ部８６はＬＥＤ（ｌｉｇｈｔ  ｅｍｉｔｔｉｎｇ  ｄｉｏｄｅ）であり得る。以下ではディスプレイ部をＬＥＤ８６、電流検出部を抵抗８５と称する。
【００８１】
第２制御部６４は始動時圧縮機６７、６８の主巻線７８、８０に流れる現在の電流値の状態を知らせるためのディスプレイ信号を提供する。このディスプレイ信号は、前述したように、主巻線７８、８０に始動時流れる電流値に基づき可変となりうる。即ち、第２制御部６４は主巻線７８、８０の現在の電流値と既設定基準過度電流値とを互いに比較して、現在電流値の状態に合うようにディスプレイ信号を発生する。例えば、主巻線７８、８０の電流が既設定第１過度電流以上である場合は、ＬＥＤ８６を点滅させ、使用者にこれを警告する。また、検出電流が第１過度電流以下であり、第２過度電流以上であれば、ＬＥＤ８６を点灯させ、サービス呼出が可能であるようにする。一方、検出した主巻線７８、８０の電流が第２過度電流以下であれば第２制御部６４はこれを正常状態として見なし、ＬＥＤ５３をターンオフさせる。従って、使用者はこの状態を正常として認識できる。このようなディスプレイ方法は他の方法によって行われることができる。
【００８２】
上述した通り、第１０実施例によれば、主巻線に流れる電流が常に感知され、その感知値が外部にディスプレイされることにより、主巻線に過度な電流が流れる場合、使用者がこれを認識できるようになる。また、本発明は始動時、静電容量制御部は第１圧縮機を先に始動し、次いで、第２圧縮機を始動するので、始動電流を効率よく使用することができる。
【００８３】
（第１１実施例）
図１３は本発明の第１１実施例による圧縮機への電流及び静電容量の供給を制御する装置の構成を示すダイアグラムである。図１３は電流制御部６５の出力側に電流検出部８７を更に備えるほかには、図９に示す第７実施例と同一である。従って、電流検出部８７を中心に構成及び動作を説明する。
【００８４】
図１３の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給する第１スイッチ６２と、始動時圧縮機６７、６８の主巻線７８、８０に流れる電流値を検出する電流検出部８７と、常用電圧の状態（大きさ及び周波数）及び、始動時主巻線７８、８０に流れる電流値によって異なるように、そして、圧縮機の始動時と始動後によって異なるように位相制御信号及びスイッチング制御信号を発生する第２制御部６４と、スイッチング制御信号に応答して内部回路の構成を変更し、位相制御信号に応答して常用電圧の位相を制御することにより、圧縮機６７、６８の主巻線７８、８０に始動時には常用電圧による電流を制限して供給し、始動後は正常に電流を提供する電流制御部６５と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを補助巻線７９、８１に同時に供給する静電容量制御部６６とで構成されている。図１３で、電流検出部８７は抵抗であり得る。一方、位相制御部６９はトライアクであり得る。
【００８５】
一方、電流検出部８７が始動時主巻線７８、８０に流れる電流値を感知して第２制御部６４に提供すると、第２制御部６４は圧縮機６７、６８の主巻線７８、８０に流れる電流値と電流検出部８７（以下で抵抗８７）の抵抗値とを掛け、主巻線７８、８０での始動電圧値を求める。位相制御信号は主巻線７８、８０に流れる電流値、または始動電圧値によって可変となりうる。即ち、第２制御部６４は主巻線７８、８０の現在の始動電圧値と既設定基準過度電圧値とを比較して、主巻線７８、８０の現在の電流値の状態を探し、その状態に合うように位相制御信号を変化させる。例えば、主巻線７８、８０の現在の電流が既設定された第１過度電流以上である場合は、第２制御部６４はこれを第１制御部６１に知らせ、圧縮機６７、６８が拘束状態であることを認識させる。次いで、第１制御部６１は第１スイッチ６２に駆動オフ信号を送り、第１スイッチ６２をオフ（開放）させる。従って、圧縮機６７、６８にはそれ以上常用電圧が供給されず、圧縮機６７、６８は動作を中止する。一方、検出した主巻線７８、８０の電流が第１過度電流以下であり、第２過度電流以上であれば、第２制御部６４は主巻線７８、８０に過度な電流が流れることと見なし、トライアク６９のゲートにパルス形態に印加される位相制御信号の幅を減少させる。即ち、位相制御信号の大きさを減少させる。一方、検出した主巻線７８、８０の電流が第２過度電流以下であれば第２制御部６４はこれを正常状態として見なし、初期の位相制御値をそのまま維持してトライアク６９へ提供する。この際、入力される常用電圧は正常の状態と見なす。このように位相制御信号の可変方法は他の方法によって行われることができる。
【００８６】
上述した通り、第１１実施例によれば、始動時、主巻線の電流値の変動に応じて、第２制御部は位相制御信号を適切に変化させ、トライアクに印加することにより、主巻線には常に安定した始動電流を提供できる効果がある。
【００８７】
（第１２実施例）
図１４は本発明の第１２実施例による装置の構成を示すダイアグラムである。
【００８８】
第１２実施例は実際に第１実施例と大体同じであるが、第７実施例における位相制御部６９としてのトライアクの代わりに負温度計数器８８が使用されている。
【００８９】
図８の装置は常用電圧源６３と、圧縮機６７、６８の全体動作を制御し、使用者の選択によって圧縮機６７、６８の駆動オン／オフ信号を提供する第１制御部６１と、圧縮機６７、６８の駆動オン／オフ信号に応答してスイッチングされ、圧縮機６７、６８へ常用電圧を供給する第１スイッチ６２と、常用電圧の状態（大きさ及び周波数）によって異なるようにスイッチング制御信号を発生する第２制御部６４と、スイッチング制御信号に応答して内部回路の構成を変更することにより、圧縮機６７、６８の主巻線７８、８０に始動時には温度に反比例する自体抵抗の特性を用いて、常用電圧による電流を制限して提供し、始動後は正常に電流を提供する電流制御部６５と、そして、スイッチング制御信号に応答して内部回路を変更し、圧縮機６７、６８の補助巻線７９、８１に始動時には始動用静電容量を順に供給し、運転用静電容量は同時に供給し、始動後は常用電圧による電流を用いた運転用静電容量のみを各補助巻線７９、８１に同時に供給する静電容量制御部６６とで構成されている。一方、電流制御部６５はスイッチング制御信号に応答して、始動スタートから始動完了の間で、圧縮機６７、６８の主巻線７８、８０に次第に増加する方向に電流を供給する。また、電流制御部６５は、第７実施例と同様に、スイッチング制御信号に応答して、第１スイッチ６２の出力接点と主巻線７８、８０の間でスイッチングオン／オフされる第２スイッチ７０と、そして、第２スイッチ７０の入力接点及び出力接点の間に並列接続され、第２スイッチ７０のスイッチングオン／オフ状態に応じて、始動時に主巻線７８、８０へ共通に供給される電流を制御する負温度計数器８８とで構成される。静電容量制御部６６の構成は第７実施例と同一であるので、詳しい説明は省略する。
【００９０】
一方、図１４で始動初期時、第２スイッチ７０がオフされ開放され、負温度計数器８８に常用電圧が印加されると、負温度計数器８８は常用電圧を制限し、圧縮機６７、６８の主巻線７８、８０に過電流が流れることを防止する。また、負温度計数器８８は圧縮機６７、６８の始動時に主巻線７８、８０へ供給される始動電流が既設定された基準始動電流値を超過しないように、大きな初期抵抗値を有している。より詳しく説明すると、負温度計数器８８は最も大きな初期抵抗値を有し、温度が高くなるほど抵抗は次第に小さくなるので、圧縮機６７、６８の主巻線７８、８０に流れる始動電流を大きな初期抵抗値によって制限する。次いで、負温度計数器８８へ常用電圧による電流が供給されると、負温度計数器８８自体には熱が発生し、初期抵抗値は急激に低下する。それから、始動が完了すると、スイッチング制御信号に従って第２スイッチ７０がオンされ、閉路されるので、常用電圧による電流は負温度計数器８８を経ず、第２スイッチ７０を介して正常の大きさを有しつつ主巻線７８、８０に流れるようになる。上述した通り、第１２実施例によれば、始動時、温度に反比例の抵抗値を有する負温度計数器を介して、始動初期に制限された電流を圧縮機へ供給することにより、過電流が主巻線に流れることを防ぐことができる。また、一制御装置を介して第１圧縮機が先に始動し、次いで、第２圧縮機が始動するので、始動電流の効率を高められ且つ、制御装置の構成を簡略化させることができる。
【図面の簡単な説明】
【図１】  従来の技術による圧縮機への電流及び静電容量の供給を制御する装置を示すダイアグラムである。
【図２】  本発明による圧縮機への電流及び静電容量の供給を制御する装置の概念図である。
【図３】  本発明の第１実施例による圧縮機への電流及び静電容量の供給を制御する装置を示すダイアグラムである。
【図４】  本発明の第２実施例による圧縮機への電流及び静電容量の供給を制御する装置を示すダイアグラムである。
【図５】  本発明の第３実施例による圧縮機への電流及び静電容量の供給を制御する装置を示すダイアグラムである。
【図６】  本発明の第４実施例による圧縮機への電流及び静電容量の供給を制御する装置を示すダイアグラムである。
【図７】  本発明の第５実施例による圧縮機への電流及び静電容量の供給を制御する装置を示すダイアグラムである。
【図８】  本発明の第６実施例による圧縮機への電流及び静電容量の供給を制御する装置を示すダイアグラムである。
【図９】  本発明の第７実施例による圧縮機への電流及び静電容量の供給を制御する装置を示すダイアグラムである。
【図１０】  本発明の第８実施例による圧縮機への電流及び静電容量の供給を制御する装置を示すダイアグラムである。
【図１１】  本発明の第９実施例による圧縮機への電流及び静電容量の供給を制御する装置を示すダイアグラムである。
【図１２】  本発明の第１０実施例による圧縮機への電流及び静電容量の供給を制御する装置を示すダイアグラムである。
【図１３】  本発明の第１１実施例による圧縮機への電流及び静電容量の供給を制御する装置を示すダイアグラムである。
【図１４】  本発明の第１２実施例による圧縮機への電流及び静電容量の供給を制御する装置を示すダイアグラムである。
【図１】
0003785366.tif 000002
【図２】
0003785366.tif 000003
【図３】
0003785366.tif 000004
【図４】
0003785366.tif 000005
【図５】
0003785366.tif 000006
【図６】
0003785366.tif 000007
【図７】
0003785366.tif 000008
【図８】
0003785366.tif 000009
【図９】
0003785366.tif 000010
【図１０】
0003785366.tif 000011
【図１１】
0003785366.tif 000012
【図１２】
0003785366.tif 000013
【図１３】
0003785366.tif 000014
【図１４】
0003785366.tif 000015